(57)【要約】  第1のプロトコルを使用するデバイスによって使用中である周波数スペクトルが、代替通信プロトコルを使用するデバイス間の通信のために、一時的に使用されることを可能にするために、第1のプロトコルを使用中であるデバイスからの信号の送信を効率的に抑制するための方法および装置について説明する。いくつかの実施形態では、第1のプロトコルは、WiFiであり、代替シグナリングプロトコルは、非WiFiピアツーピア通信プロトコルである。ワイヤレス通信デバイス、たとえば、ピアツーピアワイヤレス通信デバイスは、信号抑制有用性メトリック(SSUM)を生成する。信号抑制有用性メトリックは、送信抑制信号、たとえば、CTS  to  self信号であり得るS-CTS信号を送信することが所与の時点においてどのくらい有益になるかの指示を与える。ワイヤレス通信デバイスは、信号抑制有用性メトリックに応じて、送信抑制信号を送信するべきか否かを決定する。
2015505224.tif 000002
【特許請求の範囲】
【請求項１】
ワイヤレス通信デバイスを動作させる方法であって、
他のデバイスによる送信を抑制するために使用される信号の送信の有効性を推定する、信号抑制有用性メトリック(SSUM)を生成するステップと、
前記生成されたSSUMの値に基づいて、送信抑制信号を送信するべきか否かの決定を行うステップと
を含む方法。
【請求項２】
前記送信抑制信号が、S-CTS信号であり、
前記ワイヤレス通信デバイスが、前記S-CTS信号の送信によって抑制されるべきであるWiFiに準拠していない通信プロトコルを使用するピアツーピア通信デバイスである、請求項1に記載の方法。
【請求項３】
前記SSUMを生成するステップが、
ある時間期間の間に他のデバイスからの送信抑制信号について監視するステップと、
前記時間期間中に受信された送信抑制信号の電力を測定するステップと
を含む、請求項1に記載の方法。
【請求項４】
前記SSUMを生成するステップが、
前記時間期間中に受信された送信抑制信号の数が多いほど、より低いSSUMを生成するステップ
をさらに含む、請求項3に記載の方法。
【請求項５】
前記SSUMを生成するステップが、
少なくとも1つの受信された送信抑制信号の前記測定電力に基づいて、SSUMを生成するステップ
をさらに含む、請求項3に記載の方法。
【請求項６】
前記SSUMの前記生成が、受信された送信抑制信号の数と、少なくとも最強の受信された送信抑制信号の前記測定送信電力の両方に基づく、請求項3に記載の方法。
【請求項７】
前記SSUMが、低レベルの有益性を示す第1のしきい値を下回るとき、送信抑制信号を送信しないことを決定するステップ
をさらに含む、請求項6に記載の方法。
【請求項８】
前記SSUMが、前記第1のしきい値に等しいか、または前記第1のしきい値を超えるとき、前記送信抑制信号を送信することを決定するステップ
をさらに含む、請求項7に記載の方法。
【請求項９】
前記SSUMに基づいて、バックオフタイマーを選択するステップであって、前記バックオフタイマーは、送信機会時間間隔中に、いつ前記送信抑制信号を送信するべきかを判断する際に使用され、前記選択されたバックオフタイマーは、より高いSSUMに対してよりも、低い有益性を示す小さいSSUMに対してより大きいステップと、
前記選択されたバックオフタイマーが現在の送信機会時間間隔内に満了しない場合、送信抑制信号をキャンセルするステップと
をさらに含む、請求項8に記載の方法。
【請求項１０】
他のデバイスによる送信を抑制するために使用される信号の送信の有効性を推定する、信号抑制有用性メトリック(SSUM)を生成するための手段と、
前記生成されたSSUMの値に基づいて、送信抑制信号を送信するべきか否かの決定を行うための手段と
を備えるワイヤレス通信デバイス。
【請求項１１】
前記送信抑制信号が、S-CTS信号であり、
前記ワイヤレス通信デバイスが、前記S-CTS信号の送信によって抑制されるべきであるWiFiに準拠していない通信プロトコルを使用するピアツーピア通信デバイスである、請求項10に記載のワイヤレス通信デバイス。
【請求項１２】
前記SSUMを生成するための前記手段が、
ある時間期間の間に他のデバイスからの送信抑制信号について監視するための手段と、
前記時間期間中に受信された送信抑制信号の電力を測定するための手段と
を含む、請求項10に記載のワイヤレス通信デバイス。
【請求項１３】
前記SSUMを生成するための前記手段が、
前記時間期間中に受信された送信抑制信号の数が多いほど、より低いSSUMを生成するための手段
をさらに含む、請求項12に記載のワイヤレス通信デバイス。
【請求項１４】
前記SSUMを生成するための前記手段が、
少なくとも1つの受信された送信抑制信号の前記測定電力に基づいて、SSUMを生成するための手段
をさらに含む、請求項12に記載のワイヤレス通信デバイス。
【請求項１５】
ワイヤレス通信デバイスにおいて使用するためのコンピュータプログラム製品であって、
非一時的コンピュータ可読媒体を備え、前記非一時的コンピュータ可読媒体は、
他のデバイスによる送信を抑制するために使用される信号の送信の有効性を推定する、信号抑制有用性メトリック(SSUM)を生成することを、少なくとも1つのコンピュータに行わせるためのコードと、
前記生成されたSSUMの値に基づいて、送信抑制信号を送信するべきか否かの決定を行うことを、前記少なくとも1つのコンピュータに行わせるためのコードと
を備える、コンピュータプログラム製品。
【請求項１６】
少なくとも1つのプロセッサであって、
他のデバイスによる送信を抑制するために使用される信号の送信の有効性を推定する、信号抑制有用性メトリック(SSUM)を生成すること、および
前記生成されたSSUMの値に基づいて、送信抑制信号を送信するべきか否かの決定を行うこと
を行うように構成された、少なくとも1つのプロセッサと、
前記少なくとも1つのプロセッサに結合されたメモリと
を備える、ワイヤレス通信デバイス。
【請求項１７】
前記送信抑制信号が、S-CTS信号であり、
前記ワイヤレス通信デバイスが、ピアツーピア通信デバイスであり、
前記少なくとも1つのプロセッサが、前記S-CTS信号の送信によって抑制されるべきであるWiFiに準拠していない通信プロトコルを使用するようにさらに構成される、請求項16に記載のワイヤレス通信デバイス。
【請求項１８】
前記少なくとも1つのプロセッサが、前記SSUMを生成するように構成されることの一部として、
ある時間期間の間に他のデバイスからの送信抑制信号について監視すること、および
前記時間期間中に受信された送信抑制信号の電力を測定すること
を行うように構成される、請求項16に記載のワイヤレス通信デバイス。
【請求項１９】
前記少なくとも1つのプロセッサが、前記SSUMを生成するように構成されることの一部として、
前記時間期間中に受信された送信抑制信号の数が多いほど、より低いSSUMを生成すること
を行うように構成される、請求項18に記載のワイヤレス通信デバイス。
【請求項２０】
前記少なくとも1つのプロセッサが、
少なくとも1つの受信された送信抑制信号の前記測定電力に基づいて、SSUMを生成すること
を行うように構成される、請求項18に記載のワイヤレス通信デバイス。
【発明の詳細な説明】
【技術分野】
【０００１】
様々な実施形態は、ネットワークが周波数スペクトルを共有するワイヤレス通信を対象とし、より詳細には、第1のネットワーク中のシグナリングを、第2のネットワーク中のデバイスからのシグナリングによって効率的に抑制するための方法および装置を対象とする。
【背景技術】
【０００２】
いくつかの環境では、たとえば、無認可のスペクトルがある領域では、異なるネットワークに対応する複数の技術が共存して同じスペクトルを使用することが望ましくなり得る。第2のネットワーク中のデバイスが、第1のネットワーク中のシグナリングを一時的に抑制することが望ましくなり得る。1つの簡単な手法は、各第2のネットワークデバイスが、ネットワークまたは他の状態にかかわらず、第1のネットワーク中のデバイスによる信号送信を抑制するために使用される抑制信号を送信することである。
【０００３】
第1のネットワークのデバイスの領域に重複する領域中の第2のネットワークのデバイスの分布は、時間およびロケーションによって変動することが予想され得る。異なる時間に、第2のネットワークからの異なる数のデバイスが、特定の局所領域中でクラスタリングされ得る。第2のネットワークの複数のデバイスが極めて近接して位置する状況では、近接して位置するデバイスの各々からの抑制信号の送信が冗長になることがあり、そうでない場合は第2のネットワーク通信、たとえば、ピアツーピアトラフィックシグナリングのために使用され得るバッテリー電力を不必要に無駄にする結果となり得る。加えて、冗長なシグナリングは、無駄であるだけではないことがあり、いくつかの実施形態では、第1のネットワークシグナリングの抑制にとって実際に有害になり得る。たとえば、複数の第2のネットワークデバイスから同時に送信された信号抑制信号の衝突は、第1のネットワーク中のデバイスが信号抑制信号を回復してそれに応答することができなくなる結果となり得る。
【０００４】
上記の説明に基づいて、効率的な信号抑制をサポートする、新しい方法および装置が必要である。これらの方法および装置のうちの少なくとも一部が、信号抑制信号を送信するべきか否かを決定する際に状態における変化に反応する場合、有利となる。
【発明の概要】
【課題を解決するための手段】
【０００５】
信号を抑制するための方法および装置について説明する。装置は、信号送信抑制信号を送信することができ、実際に送信することがある。抑制信号を送信する装置は、第1の通信プロトコルとは異なる第2の通信プロトコルを使用することができ、すべてではないが、いくつかの実施形態では、実際に使用する。抑制信号は、第1のプロトコルを使用するデバイスによる信号の送信を抑制し、第1のプロトコルを使用するデバイスによって使用中である周波数スペクトルが、代替通信プロトコルを使用するデバイス間の通信のために、たとえば、一時的に、使用されることを可能にする。いくつかの実施形態では、第1のプロトコルは、WiFiプロトコルであり、代替シグナリングプロトコルは、非WiFiピアツーピア通信プロトコルである。いくつかの実施形態では、ピアツーピアワイヤレス通信デバイスは、送信抑制信号、たとえば、S-CTS(Special  Clear  To  Send)信号を生成および送信し、送信抑制信号が、WiFiデバイスによって検出され、CTS信号として扱われる。WiFiデバイスは、受信されたS-CTSまたはCTS信号に応答して、信号を送信することを控え、したがって、ピアツーピア通信のために一時的にスペクトルを解放する。S-CTS信号の一例は、CTS  to  Self信号である。
【０００６】
様々な特徴は、ネットワーク中のシグナリングを効率的に抑制することを対象とする。ネットワークは、ピアツーピアシグナリング、たとえば、直接的なデバイス間通信が使用されるネットワークであり得る。ワイヤレス通信デバイス、たとえば、ピアツーピアワイヤレス通信デバイスは、信号抑制有用性メトリック(SSUM:signal  suppression  utility  metric)を生成する。信号抑制有用性メトリックは、送信抑制信号、たとえば、S-CTS信号を送信することが所与の時点においてどのくらい有益になるかの指示を与える。いくつかの実施形態では、信号抑制有用性メトリック(SSUM)は、以下のうちの1つまたは複数を考慮に入れ、すなわち、送信された送信抑制信号の有効カバレージエリア、送信抑制信号が、送信抑制信号の送信の不在時には抑制されることにならない信号の抑制を生じることになる確率、および/または、送信抑制信号が送信された場合に、別の送信抑制信号と衝突して無効になる確率である。
【０００７】
様々な特徴が、有益な信号抑制有用性メトリック(SSUM)の生成を対象とするが、他の特徴は、生成されたSSUMを使用して、特定の時点において、送信抑制信号、たとえば、S-CTS信号を送信するべきか否かを判断することを対象とする。いくつかの実施形態では、SSUMは、以下のうちの1つまたは複数に基づいて生成され、すなわち、i)他のデバイスから受信された1つまたは複数の送信抑制信号の強度、ii)  ある時間期間において受信される、他のデバイスからの送信抑制信号の数、およびiii)  ある時間期間において受信される送信抑制信号の数と、1つまたは複数のそのような受信信号の強度との組合せである。諒解されるように、ワイヤレス通信デバイスによる1つまたは複数の強い送信抑制信号の受信は、ワイヤレス通信デバイスから送信された場合に送信抑制信号によってカバーされることになるカバレージエリアが、他のデバイスのうちの1つによって送信中である送信抑制信号によってすでにカバーされたカバレージエリアと同様になることを示す。多数の送信抑制信号を受信することは、送信抑制信号衝突を生じることによって、追加の送信抑制信号送信の利益が小さくなり、かつ/または、逆効果になる可能性があることを示す。
【０００８】
SSUM値に基づいて、送信抑制信号、たとえば、S-CTS信号を送信するべきか否かの決定を行うことによって、冗長な送信抑制シグナリングを低減および/または除去し、ワイヤレスデバイス電力節約の有利な効果、たとえば、より少ないバッテリー消耗を生じることができる。加えて、SSUM値に基づいて、送信抑制信号、たとえば、S-CTS信号を送信するべきか否かの決定を行うことによって、送信抑制信号の衝突の数を低減し、送信された送信抑制信号が有効になる可能性を高めることができる。
【０００９】
いくつかの実施形態による、ワイヤレス通信デバイスを動作させる例示的な方法は、他のデバイスによる送信を抑制するために使用される信号の送信の有効性を推定する、信号抑制有用性メトリック(SSUM)を生成するステップと、生成されたSSUMの値に基づいて、送信抑制信号、たとえば、S-CTS信号を送信するべきか否かの決定を行うステップとを含む。いくつかの実施形態による、例示的なワイヤレス通信デバイスは、他のデバイスによる送信を抑制するために使用される信号の送信の有効性を推定する、信号抑制有用性メトリック(SSUM)を生成すること、および、生成されたSSUMの値に基づいて、送信抑制信号、たとえば、S-CTS信号を送信するべきか否かの決定を行うことを行うように構成された、少なくとも1つのプロセッサを備える。例示的なワイヤレス通信デバイスは、前記少なくとも1つのプロセッサに結合されたメモリをさらに備える。
【００１０】
上記の発明の概要で様々な実施形態について論じたが、必ずしも、すべての実施形態が同じ特徴を含むとは限らず、上記で説明した特徴のいくつかは必須ではないが、いくつかの実施形態では望ましいことがあることを諒解されたい。多数の追加の特徴、実施形態、および様々な実施形態の利益について、以下の発明を実施するための形態において論じる。
【図面の簡単な説明】
【００１１】
【図１】例示的な実施形態による、例示的な通信システムの図である。
【図２Ａ】様々な例示的な実施形態による、ワイヤレス通信デバイスを動作させる例示的な方法のフローチャートの第1の部分である。
【図２Ｂ】様々な例示的な実施形態による、ワイヤレス通信デバイスを動作させる例示的な方法のフローチャートの第2の部分である。
【図３】例示的な実施形態による、例示的なワイヤレス通信デバイス、たとえば、ピアツーピアワイヤレス通信デバイスの図である。
【図４Ａ】図3に示す例示的なワイヤレス通信デバイス中で使用されることがあり、いくつかの実施形態では実際に使用される、モジュールのアセンブリの図である。
【図４Ｂ】図3に示す例示的なワイヤレス通信デバイス中で使用されることがあり、いくつかの実施形態では実際に使用される、モジュールのアセンブリの図である。
【図５】S-CTS信号を送信して、それらの近傍におけるWiFiデバイスを沈黙させることができ、実際に沈黙させることがある、部分的に重複する信号抑制領域がある、3つの例示的なワイヤレス通信デバイスを示す図である。
【図６】第2のワイヤレス通信デバイスおよび第3のワイヤレス通信デバイスからの信号抑制信号が、第1のワイヤレス通信デバイスからの信号抑制信号によって到達されることになる信号抑制エリアの大部分をすでにカバーしている状況を示す図であり、その場合、第1のワイヤレス通信デバイスは、信号抑制信号を送信しないことを決定し得る図である。
【図７】ピアツーピアワイヤレス通信デバイスが、その近傍における別のピアツーピアワイヤレス通信デバイスからの高電力受信された送信抑制信号に基づいて、信号抑制有用性メトリックのための低い値を生成し、送信抑制信号を送信しないことを決定する一例を示す図である。
【図８】ピアツーピアワイヤレス通信デバイスが、その近傍における他のピアツーピアワイヤレス通信デバイスからの多数の受信された送信抑制信号に基づいて、信号抑制有用性メトリックのための低い値を生成し、送信抑制信号を送信しないことを決定する一例を示す図である。
【図９】ピアツーピアワイヤレス通信デバイスが、その近傍における他のピアツーピアワイヤレス通信デバイスからの少数の受信された送信抑制信号に基づいて、信号抑制有用性メトリックのための高い値を生成し、送信抑制信号を送信することを決定する一例を示す図である。
【図１０】図9の送信する決定に応答して、送信抑制信号を送信するピアツーピアデバイスを示す図である。
【図１１】ピアツーピアワイヤレス通信デバイスが、その近傍における他のピアツーピアワイヤレス通信デバイスからの受信された送信抑制信号の数と、受信された送信抑制信号の電力レベルとに基づいて、信号抑制有用性メトリックのための高い値を生成し、送信抑制信号を送信することを決定する一例を示す図である。
【図１２】図11の送信する決定に応答して、送信抑制信号を送信するピアツーピアデバイスを示す図である。
【図１３Ａ】例示的な実施形態による、ワイヤレス通信デバイスを動作させる例示的な方法のフローチャートの第1の部分である。
【図１３Ｂ】例示的な実施形態による、ワイヤレス通信デバイスを動作させる例示的な方法のフローチャートの第2の部分である。
【図１４】例示的な実施形態による、ワイヤレス通信デバイスを動作させる例示的な方法のフローチャートである。
【図１５】例示的な実施形態による、例示的なワイヤレス通信デバイス、たとえば、ピアツーピアワイヤレス通信デバイスの図である。
【図１６Ａ】図15に示す例示的なワイヤレス通信デバイス中で使用されることがあり、いくつかの実施形態では実際に使用される、モジュールのアセンブリの図である。
【図１６Ｂ】図15に示す例示的なワイヤレス通信デバイス中で使用されることがあり、いくつかの実施形態では実際に使用される、モジュールのアセンブリの図である。
【図１７】例示的な実施形態による、例示的なワイヤレス通信デバイス、たとえば、ピアツーピアワイヤレス通信デバイスの図である。
【図１８】図17に示す例示的なワイヤレス通信デバイス中で使用されることがあり、いくつかの実施形態では実際に使用される、モジュールのアセンブリの図である。
【発明を実施するための形態】
【００１２】
図1は、例示的な実施形態による、例示的な通信システム100の図である。例示的な通信システム100は、WiFiカバレージエリア104をもつWiFi基地局102を含む。例示的なシステム100はまた、複数のWiFiワイヤレス端末(WiFiワイヤレス端末1  106、WiFiワイヤレス端末2  107、...、WiFiワイヤレス端末(N-1)108、WiFiワイヤレス端末N  109)をも含む。例示的な通信システム100はまた、複数のピアツーピアワイヤレス端末(ピアツーピアワイヤレス端末1  112、...、ピアツーピアワイヤレス端末N  114)をも含む。ピアツーピアワイヤレス端末(112、...、114)は、ピアツーピアネットワーク、たとえば、アドホックピアツーピアネットワークの一部である。ピアツーピア(112、...、114)ワイヤレス端末は、直接的なデバイス間シグナリングを介して互いに通信する。
【００１３】
ピアツーピアワイヤレス端末(112、...、114)は、WiFiに準拠しない通信プロトコルを使用する。ピアツーピアワイヤレス端末(112、...、114)は、抑制信号、たとえば、S-CTS信号を生成および送信して、WiFiシグナリングを抑制し、エアリンクリソースがピアツーピア通信ネットワーク110内のピアツーピア通信のために使用され得るようにする。個々のピアツーピアワイヤレス通信デバイス、たとえば、ピアツーピアワイヤレス端末1  112は、他のデバイスによる送信を抑制するため、たとえば、Wi-Fiデバイス(102、106、107、108、...、109)のうちの1つまたは複数によるWi-Fiトラフィック信号を抑制するために使用される信号の送信の有効性を推定する、信号抑制有用性メトリック(SSUM)を生成する。様々な実施形態では、SSUMは、ある時間期間において他のピアツーピアデバイスから受信された信号抑制信号、たとえば、S-CTS信号の数、および/または、1つもしくは複数の受信された信号抑制信号の受信電力レベルに基づく。ピアツーピアワイヤレス通信デバイスは、その生成されたSSUMに応じて、信号抑制信号、たとえば、S-CTS信号を送信するべきか否かの決定を行う。様々な実施形態では、ピアツーピアワイヤレス通信デバイスは、その生成されたSSUMに応じて、ピアツーピアワイヤレス通信デバイスが送信抑制信号を送信するための機会に対して参加することになる、送信機会の周期を選択する。
【００１４】
図2は、図2Aおよび図2Bの組合せを含み、様々な例示的な実施形態による、ワイヤレス通信デバイスを動作させる例示的な方法のフローチャート200である。フローチャート200の方法を実施するワイヤレス通信デバイスは、たとえば、図1のシステム100のピアツーピアワイヤレス端末(112、...、114)のうちの1つである。動作は、ステップ202で開始し、そこで、ワイヤレス通信デバイスが電源投入されて初期化される。動作は、開始ステップ202からステップ204へ進み、そこで、ワイヤレス通信デバイスが、送信機会についての信号抑制有用性メトリック(SSUM)を生成する。動作は、ステップ204からステップ206へ進む。
【００１５】
ステップ206で、ワイヤレス通信デバイスが、他のデバイスによる送信を抑制するために使用される信号の送信の有効性を推定する、信号抑制有用性メトリック(SSUM)を生成する。ステップ206は、ステップ208および210を含む。いくつかの実施形態では、ステップ206は、ステップ212、214および216のうちの1つもしくは複数またはすべてを含む。ステップ208で、ワイヤレス通信デバイスが、ある時間期間の間に他のデバイスからの送信抑制信号、たとえば、S-CTS信号について監視する。次いで、ステップ210で、ワイヤレス通信デバイスが、前記時間期間中に受信された送信抑制信号の電力を測定する。ステップ212で、ワイヤレス通信デバイスが、前記時間期間中に受信された送信抑制信号の数が多いほど、より低い信号抑制有用性メトリックを生成する。ステップ214で、ワイヤレス通信デバイスが、少なくとも1つの受信された送信抑制信号の測定電力に基づいて、信号抑制有用性メトリックを生成する。いくつかの実施形態では、ステップ214で、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、ワイヤレス通信デバイスが信号抑制有用性メトリック(SSUM)を生成する。ステップ216で、ワイヤレス通信デバイスが、受信された送信抑制信号の数と、少なくとも最強の受信された送信抑制信号の測定送信電力の両方に基づいて、信号抑制有用性メトリックを生成する。動作は、ステップ206の出力からステップ206の入力に戻るように進み、これが、たとえば、繰り返し発生するベースで(on  a  recurring  basis)繰り返される。いくつかの実施形態では、動作はまた、ステップ206から任意のステップ218へ進む。動作はまた、ステップ206からステップ222へ進む。
【００１６】
ステップ218および220は、任意のステップである。いくつかの実施形態では、ステップ218および220のうちの1つまたは複数が実行される。実行されないステップは、バイパスされる。ステップ218で、ワイヤレス通信デバイスが、信号抑制有用性メトリックの値に基づいて、ワイヤレス通信デバイスが送信抑制信号を送信するための機会に対して参加することになる、送信機会の周期を選択する。いくつかの実施形態では、SSUMが低いほど、デバイスが参加する送信機会の頻度が低くなる。動作は、ステップ218からステップ220へ進む。ステップ220で、ワイヤレス通信デバイスが、以前の送信機会に対応する、少なくともいくつかの生成された信号抑制有用性メトリックに基づいて、可能な送信抑制信号、たとえば、S-CTS信号の送信について検討するための将来の送信機会のサブセットを選択する。たとえば、ワイヤレス通信デバイスは、繰り返し発生する送信機会の特定のサブセットを選択し、たとえば、ワイヤレス通信デバイスは、それにおいて送信について検討するための各3つの送信機会のうちの最初のものを選択する。いくつかの実施形態では、ステップ206の生成された信号抑制有用性メトリック(SSUM)は、複数の以前の送信機会のうちの最初のものに対応し、ステップ204の生成されたSSUMは、追加の以前の送信機会に対応する。動作は、ステップ220からステップ218へ進む。様々な実施形態では、ステップ206が、ステップ218および220が実行されるレートとは異なるレートで実行される。いくつかのそのような実施形態では、ステップ218および220のうちの1つまたは複数を含むループの1回の繰り返しに対して、ステップ206の少なくとも10回の繰り返しがある。
【００１７】
ステップ222で開始するフローは、ワイヤレス通信デバイスが参加することになる各送信機会について実行される。いくつかの実施形態では、ワイヤレス通信デバイスが参加することになる特定の送信機会は、たとえば、ワイヤレス通信デバイスにより現在保持された識別子に基づいて、または、ワイヤレス通信デバイスが現在属する先のグループ関連付けに基づいて、あらかじめ決定される。いくつかの他の実施形態では、ワイヤレス通信デバイスが参加することになる特定の送信機会は、ステップ218および220のうちの1つまたは複数から導出された情報に基づく。
【００１８】
ステップ222で、ワイヤレス通信デバイスが、信号抑制有用性メトリックに基づいて、バックオフタイマーを選択する。バックオフタイマーは、送信機会時間間隔中に、いつ信号抑制信号を送信するべきかを判断する際に使用される。いくつかの実施形態では、選択されたバックオフタイマーは、より高いSSUMに対してよりも、低い有益性を示す小さいSSUMに対してより大きい。動作は、ステップ222から、接続ノードA  224を介してステップ226へ進む。ステップ226で、ワイヤレス通信デバイスが、生成された信号抑制有用性メトリックの値に基づいて、送信抑制信号、たとえば、S-CTS信号を送信するべきか否かの決定を行う。いくつかの実施形態では、送信抑制信号はS-CTS信号であり、ワイヤレス通信デバイスは、WiFiに準拠していない通信プロトコルを使用するピアツーピア通信デバイスであり、Wi-FiがS-CTS信号の送信によって抑制されるべきである。ステップ226は、ステップ228、230、232および234を含む。ステップ228で、ワイヤレス通信デバイスが、信号抑制有用性メトリックを第1のしきい値と比較する。動作は、ステップ228からステップ230へ進む。ステップ230で、信号抑制有用性メトリックが、低レベルの有益性を示す第1のしきい値未満である場合、動作は、ステップ230からステップ232へ進み、そこで、ワイヤレス通信デバイスが、送信抑制信号を送信しないことを決定する。ただし、信号抑制有用性メトリックが第1のしきい値以上である場合、動作は、ステップ230からステップ234へ進み、そこで、ワイヤレス通信デバイスが、送信抑制信号を送信することを決定する。
【００１９】
動作は、ステップ234からステップ236へ進む。ステップ236で、ワイヤレス通信デバイスが、使用されている通信チャネルが1つまたは複数の所定の時間期間の間に占有されないことを検出したことに応答して、バックオフタイマーをデクリメントする。動作は、ステップ236からステップ238へ進む。いくつかの実施形態では、ステップ222の選択されたバックオフタイマーは、0になるように選択され得る。そのような実施形態では、ステップ236が最初にバイパスされ、動作はステップ234からステップ238へ進む。
【００２０】
ステップ238で、ワイヤレス通信デバイスが、バックオフタイマーが現在の送信機会時間間隔内に満了したか否かを判断する。バックオフタイマーが満了した場合、動作は、ステップ238からステップ244へ進み、そこで、バックオフタイマーが満了するとき、ワイヤレス通信デバイスが、送信抑制信号、たとえば、S-CTS信号を送信する。ただし、バックオフタイマーが満了していない場合、動作は、ステップ238からステップ240へ進み、そこで、ワイヤレス通信デバイスが、現在の送信機会時間間隔が満了したか否かを確認する。現在の送信機会時間間隔が満了した場合、動作は、ステップ240からステップ242へ進み、そこで、選択されたバックオフタイマーが現在の送信機会時間間隔内に満了せず、現在の送信機会時間間隔が終了したので、ワイヤレス通信デバイスが送信抑制信号をキャンセルする。
【００２１】
ただし、ステップ240の確認で、現在の送信機会時間間隔が満了していないと判断した場合、動作は、ステップ240からステップ236へ進む。
【００２２】
いくつかの実施形態では、ワイヤレス通信デバイスは、受信された送信抑制信号によってカバーされた、ワイヤレス通信デバイスの復号エリアの小部分を推定する。いくつかのそのような実施形態では、ワイヤレス通信デバイスは、複数の関連する以前に受信された送信抑制信号によってカバーされた、ワイヤレス通信デバイスの復号エリアの小部分を推定する。いくつかの実施形態では、ステップ206の生成された信号抑制有用性メトリックは、複数の以前に受信された送信抑制信号、たとえば、所定の時間間隔にわたる複数の関連する以前に受信された送信抑制信号によってカバーされた、ワイヤレス通信デバイスの復号エリアの推定された小部分に応じて生成される。
【００２３】
様々な実施形態では、ワイヤレス通信デバイスは、以前に送信された送信抑制信号により利用可能であるエアリンクリソースを使用して、ピアツーピア信号を送信することができ、実際に送信することがある。様々な実施形態では、ワイヤレス通信デバイスは、以前に送信された送信抑制信号により利用可能であるエアリンクリソースを使用して、ピアツーピア信号を受信することができ、実際に受信することがある。
【００２４】
いくつかの実施形態では、SSUMを生成し、送信抑制信号を送信するワイヤレス通信デバイスは、第2の通信プロトコル、たとえば、ピアツーピア通信プロトコルを使用し、抑制されているデバイスは、第1の通信プロトコル、たとえば、WiFi通信プロトコルを使用する。必ずしもすべてとは限らないが、いくつかの実施形態では、第1のプロトコルを使用するいくつかのデバイスは、第2の通信プロトコルに対応する復号器をサポートしないか、または含まない。いくつかの実施形態では、第1のプロトコルをサポートするが、第2のプロトコルをサポートしないデバイスは、第2のプロトコルに従って送信された信号を復号することができない。第2のプロトコルを使用およびサポートする、必ずしもすべてとは限らないが、いくつかのデバイスはまた、第1のプロトコルをもサポートおよび使用する。
【００２５】
図3は、例示的な実施形態による、例示的なワイヤレス通信デバイス300、たとえば、ピアツーピアモバイルノードの図である。例示的な通信デバイス300は、たとえば、図1のシステム100のピアツーピアワイヤレス通信デバイス(112、...、114)のうちの1つである。例示的なワイヤレス通信デバイス300は、図2のフローチャート200による方法を実施することができ、実際に実施することがある。
【００２６】
ワイヤレス通信デバイス300は、バス309を介して一緒に結合されたプロセッサ302とメモリ304とを含み、バス309を介して、様々な要素(302、304)がデータおよび情報を交換し得る。通信デバイス300は、図示のようにプロセッサ302に結合され得る入力モジュール306と出力モジュール308とをさらに含む。しかしながら、いくつかの実施形態では、入力モジュール306および出力モジュール308は、プロセッサ302の内部に配置される。入力モジュール306は、入力信号を受信することができる。入力モジュール306は、入力を受信するためのワイヤレス受信機および/またはワイヤードもしくは光入力インターフェースを含んでもよく、いくつかの実施形態では、実際に含む。出力モジュール308は、出力を送信するためのワイヤレス送信機および/またはワイヤードもしくは光出力インターフェースを含んでもよく、いくつかの実施形態では、実際に含む。いくつかの実施形態では、メモリ304は、ルーチン311とデータ/情報313とを含む。
【００２７】
いくつかの実施形態では、プロセッサ302は、他のデバイスによる送信を抑制するために使用される信号の送信の有効性を推定する、信号抑制有用性メトリック(SSUM)を生成すること、および、生成されたSSUMの値に応じて、送信抑制信号を送信するべきか否かの決定を行うことを行うように構成される。
【００２８】
いくつかの実施形態では、送信抑制信号は、S-CTS信号であり、ワイヤレス通信デバイス300は、ピアツーピア通信デバイスである。いくつかのそのような実施形態では、プロセッサ302は、前記S-CTS信号の送信によって抑制されるべきであるWiFiに準拠していない通信プロトコルを使用するようにさらに構成される。
【００２９】
様々な実施形態では、プロセッサ302は、SSUM(信号抑制有用性メトリック)を生成するように構成されることの一部として、ある時間期間の間に他のデバイスからの送信抑制信号、たとえば、S-CTS信号について監視すること、および、前記時間期間中に受信された送信抑制信号の電力を測定することを行うように構成される。
【００３０】
プロセッサ302は、いくつかの実施形態では、SSUM(信号抑制有用性メトリック)を生成するように構成されることの一部として、前記時間期間中に受信された送信抑制信号の数が多いほど、より低いSSUMを生成することを行うように構成される。いくつかの実施形態では、プロセッサ302は、SSUMを生成するように構成されることの一部として、少なくとも1つの受信された送信抑制信号の測定電力に基づいて、SSUMを生成することを行うように構成される。いくつかのそのような実施形態では、プロセッサ302は、SSUMを生成するように構成されることの一部として、少なくとも1つの受信された送信抑制信号の測定電力を入力として使用し、低い受信電力レベルに対してよりも、高い受信電力レベルに対して、より低いSSUM値を生じる、SSUM関数に基づいて、SSUMを生成することを行うように構成される。様々な実施形態では、プロセッサ302は、受信された送信抑制信号の数と、少なくとも最強の受信された送信抑制信号の測定送信電力の両方に基づいて、SSUMを生成することを行うように構成される。
【００３１】
いくつかの実施形態では、プロセッサ302は、SSUMが、低レベルの有益性を示す第1のしきい値を下回るとき、送信抑制信号を送信しないことを決定することを行うようにさらに構成される。いくつかのそのような実施形態では、プロセッサ302は、SSUMが前記第1のしきい値に等しいか、または前記第1のしきい値を超えるとき、送信抑制信号を送信することを決定することを行うようにさらに構成される。
【００３２】
プロセッサ302は、様々な実施形態では、前記SSUMに基づいて、バックオフタイマーを選択することであって、前記バックオフタイマーは、送信機会時間間隔中に、いつ前記送信抑制信号を送信するべきかを判断する際に使用され、選択されたバックオフタイマーは、より高いSSUMに対してよりも、低い有益性を示す小さいSSUMに対してより大きいこと、および、選択されたバックオフタイマーが現在の送信機会時間間隔内に満了しない場合、送信抑制信号をキャンセルすることを行うようにさらに構成される。
【００３３】
プロセッサ302は、いくつかの実施形態では、前記SSUMの値に基づいて、デバイスが送信抑制信号を送信するための機会に対して参加することになる、送信機会の周期を選択することを行うようにさらに構成され、SSUMが低いほど、デバイスが参加する送信機会の頻度が低くなる。
【００３４】
いくつかの実施形態では、前記生成された信号抑制有用性メトリックは、複数の以前の送信機会のうちの最初のものに対応し、プロセッサ302は、追加の以前の送信機会についてのSSUMを生成すること、および、以前の送信機会に対応する、少なくともいくつかの生成されたSSUMに基づいて、可能な送信抑制信号、たとえば、S-CTS信号の送信について検討するための将来の送信機会のサブセットを選択することを行うようにさらに構成される。たとえば、ワイヤレス通信デバイス300は、それにおいて送信を検討するための、たとえば、各3つの送信機会のうちの最初のものなど、繰り返し発生する送信機会の特定のサブセットを選択する。
【００３５】
図4は、図3に示す例示的なワイヤレス通信デバイス300中で使用されることがあり、いくつかの実施形態では実際に使用される、モジュールのアセンブリ400である。アセンブリ400中のモジュールは、たとえば、個別回路として、図3のプロセッサ302内にハードウェアとして実装されてよい。代替として、モジュールは、ソフトウェアとして実装され得、図3に示すワイヤレス通信デバイス300のメモリ304に記憶され得る。いくつかのそのような実施形態では、モジュールのアセンブリ400は、図3のデバイス300のメモリ304のルーチン311の中に含まれる。図3に、実施形態を単一のプロセッサ、たとえばコンピュータとして示すが、プロセッサ302は、1つまたは複数のプロセッサ、たとえばコンピュータとして実装され得ることを諒解されたい。ソフトウェアとして実装されるとき、モジュールはコードを含み、そのコードは、プロセッサによって実行されると、モジュールに対応する機能を実装するようにプロセッサ、たとえばコンピュータ、302を構成する。いくつかの実施形態では、プロセッサ302は、モジュールのアセンブリ400のモジュールの各々を実装するように構成される。モジュールのアセンブリ400がメモリ304に記憶される実施形態では、メモリ304は、コンピュータ可読媒体、たとえば非一時的コンピュータ可読媒体を含むコンピュータプログラム製品であり、コンピュータ可読媒体は、少なくとも1つのコンピュータ、たとえば、プロセッサ302に、モジュールが対応する機能を実装させるためのコード、たとえば、各モジュールに対する個別コードを含む。
【００３６】
完全にハードウェアベースのまたは完全にソフトウェアベースのモジュールが、使用されてよい。しかしながら、ソフトウェアおよびハードウェア(たとえば、回路実装型)のモジュールの任意の組合せが、機能を実装するために使用され得ることを諒解されたい。諒解されるように、図4に示すモジュールは、ワイヤレス通信デバイス300、またはその中にあるプロセッサ302のような要素が、図2のフローチャート200の方法において図示および/または説明する、対応するステップの機能を実行するように制御および/または構成する。
【００３７】
モジュールのアセンブリ400は、部分A  401と部分B  403とを含む。モジュールのアセンブリ400は、送信機会についての、たとえば、追加の以前の送信機会についての信号抑制有用性メトリックを生成するモジュール404と、他のデバイスによる送信を抑制するために使用される信号の送信の有効性を推定する、信号抑制有用性メトリックを生成するためのモジュール406と、信号抑制有用性メトリックの値に基づいて、ワイヤレス通信デバイスが送信抑制信号を送信するための機会に対して参加することになる、送信機会の周期を選択するためのモジュール418と、以前の送信機会に対応する、少なくともいくつかの生成された信号抑制有用性メトリックに基づいて、可能な送信抑制信号、たとえば、S-CTS信号の送信について検討するための将来の送信機会のサブセットを選択するためのモジュール420と、信号抑制有用性メトリックに基づいて、バックオフタイマーを選択するためのモジュール422とを含む。
【００３８】
様々な実施形態では、バックオフタイマーは、送信機会時間間隔中に、いつ送信抑制信号を送信するべきかを判断する際に使用される。いくつかのそのような実施形態では、モジュール422によって選択された、選択されたバックオフタイマーは、より高いSSUMに対してよりも、低い有益性を示す小さいSSUMに対してより大きい。たとえば、SSUM値と対応する選択されたバックオフタイマー値との間に、反比例関係がある。
【００３９】
いくつかの実施形態では、モジュール418は、SSUMが低いほど、ワイヤレス通信デバイスが参加することになる送信機会の頻度が低くなるように、周期を選択する。
【００４０】
信号抑制有用性メトリックを生成するためのモジュール406は、ある時間期間の間に他のデバイスからの送信抑制信号について監視するためのモジュール408と、前記時間期間中に受信された送信抑制信号の電力を測定するためのモジュール410と、前記時間期間中に受信された送信抑制信号の数が多いほど、より低い信号抑制有用性メトリックを生成するためのモジュール412と、少なくとも1つの受信された送信抑制信号の測定電力に基づいて、信号抑制有用性メトリックを生成するためのモジュール414と、受信された送信抑制信号の数と、少なくとも最強の受信された送信抑制信号の測定送信電力の両方に基づいて、信号抑制有用性メトリックを生成するためのモジュール416とを含む。いくつかの実施形態では、モジュール414は、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、信号抑制有用性メトリック(SSUM)を生成する。
【００４１】
モジュールのアセンブリ400は、生成された信号抑制有用性メトリックの値に基づいて、送信抑制信号を送信するべきか否かの決定を行うためのモジュール426と、バックオフタイマーをデクリメントするためのモジュール436と、バックオフタイマーが現在の送信機会時間間隔内に満了したか否かを判断するためのモジュール438と、バックオフタイマーが現在の送信機会時間間隔内に満了したか否かについての判断に応じて、動作を制御するためのモジュール439と、現在の送信機会時間間隔が満了したか否かを判断するためのモジュール440と、現在の送信機会時間間隔が満了したか否かについての判断に応じて、動作を制御するためのモジュール441と、選択されたタイマーが現在の送信機会時間間隔内に満了しない場合、送信抑制信号をキャンセルするためのモジュール442と、送信抑制信号、たとえば、S-CTS信号を送信するためのモジュール444と、S-CTS信号の送信によって抑制されるべきであるWiFiに準拠していないピアツーピア通信プロトコルを使用するためのモジュール446とをさらに含む。モジュール426は、信号抑制有用性メトリックを、低レベルの有益性を示す第1のしきい値と比較するためのモジュール428と、信号抑制有用性メトリックと、低レベルの有益性を示す第1のしきい値との間の比較の結果に応じて、動作を制御するためのモジュール430と、信号抑制有用性メトリックが、低レベルの有益性を示す第1のしきい値未満であるとき、送信抑制信号を送信しないことを決定するためのモジュール432と、信号抑制有用性メトリックが第1のしきい値以上であるとき、送信抑制信号を送信することを決定するためのモジュール434とを含む。
【００４２】
モジュールのアセンブリ400は、以前に送信された送信抑制信号により利用可能であるエアリンクリソースを使用して、ピアツーピア信号を送信するためのモジュール448をさらに含む。いくつかの実施形態では、ピアツーピア信号は、ブロードキャスト信号である。いくつかの実施形態では、ピアツーピア信号は、ピア発見信号である。いくつかの実施形態では、以前に送信された送信抑制信号は、S-CTS信号である。いくつかの実施形態では、以前に送信された抑制信号は、モジュールのアセンブリ400を含むワイヤレス通信デバイスによって送信された。いくつかの実施形態では、以前に送信された抑制信号は、ピアツーピア信号を送信するワイヤレス通信デバイスとは異なるワイヤレス通信デバイス、たとえば、ピアツーピア信号を送信するワイヤレス通信デバイスの局所近傍におけるワイヤレス通信デバイスによって送信された。いくつかの実施形態では、受信されたピアツーピア信号は、ブロードキャスト信号である。いくつかの実施形態では、受信されたピアツーピア信号は、ピア発見信号である。いくつかの実施形態では、以前に送信された抑制信号は、ピアツーピア信号を送信するワイヤレス通信デバイスとは異なるワイヤレス通信デバイス、たとえば、その送信された送信抑制信号が、ピアツーピア信号を送信するワイヤレス通信デバイスによって検出された、ワイヤレス通信デバイスによって送信された。
【００４３】
モジュールのアセンブリ400は、以前に送信された送信抑制信号により利用可能であるエアリンクリソース上で通信されたピアツーピア信号を受信するためのモジュール450をさらに含む。以前に送信された送信抑制信号は、ピアツーピア信号を送信したワイヤレス通信デバイスによって、または別のワイヤレス通信デバイスによって送信されていることがある。
【００４４】
モジュールのアセンブリ400は、受信された送信抑制信号によってカバーされた、ワイヤレス通信デバイスの復号エリアの小部分を推定するためのモジュール452と、複数の関連する以前に受信された送信抑制信号によってカバーされた、ワイヤレス通信デバイスの復号エリアの小部分を推定するためのモジュール454とをさらに含む。いくつかの実施形態では、モジュール452およびモジュール454は、SSUMを生成するためにモジュール406によって使用される。いくつかの実施形態では、生成されたSSUMは、モジュール454からの復号エリアの推定された小部分に応じたものである。いくつかの実施形態では、モジュール454の観点からの、関連する以前に受信された送信抑制信号は、ワイヤレス通信デバイスに関係のある送信抑制シグナリング機会、たとえば、ワイヤレス通信デバイスが参加し得る機会に対応する。
【００４５】
いくつかの実施形態では、送信抑制信号はS-CTS信号であり、モジュールのアセンブリ400を含むワイヤレス通信デバイスは、S-CTS信号の送信によって抑制されるべきであるWiFiに準拠していない通信プロトコルを使用するピアツーピア通信デバイスである。いくつかの実施形態では、送信抑制信号は、CTS  to  self信号であるS-CTS信号である。
【００４６】
いくつかの実施形態の様々な態様および/または特徴について、以下でさらに論じる。無認可スペクトルにおける現在の802.11(WiFi)ネットワークと共存するために、他の技術が802.11デバイスと時間直交化する(time  orthogonalize)場合、有益であることがある。このことはまた、レガシー802.11デバイスとの後方互換性がない、より新しいバージョンの802.11プロトコルの場合にも有利であり得る。この時間直交化(time  orthogonalization)は、いくつかの実施形態では、異なるプロトコル(すなわち、WiFi)に従うデバイスが解釈し、送信されたメッセージに応答してある持続時間の間に送信を控えることができる、メッセージを送信することによって、あるプロトコルに従うデバイスによって達成される。
【００４７】
WiFi/レガシーWiFiデバイスとの共存の場合、いくつかの実施形態では、他のプロトコルをもつデバイスは、他のプロトコルをもつネットワークを識別する特殊なMAC  IDにアドレス指定されたCTSパケットを送信する。これらのパケットは、WiFi/レガシーWiFiデバイスが沈黙のままである間に、他のプロトコルをもつデバイスが送信することができる時間間隔を割り振る、NAVを搬送する。特殊な宛先MAC  ID、ならびにフレーム制御フィールドは、非WiFiネットワーク中のデバイスが特殊なCTS(S-CTS)パケットを識別し、S-CTSパケットが搬送するNAVを無視する助けとなる。
【００４８】
WiFi/レガシーWiFiプロトコル以外のPHY-MACプロトコルに従う時間同期ネットワークを考えられたい。このネットワーク中のデバイスが、それらのプロトコルによりそれらのパケットを送信するべきである周期的トラフィック時間間隔の共通の概念を有することを、さらに考えられたい。これらの間隔中にWiFi/レガシーWiFiデバイスを沈黙させるために、デバイスは、いくつかの実施形態では、トラフィック間隔よりも先行する間隔においてS-CTSを送信する。同期ネットワーク中のデバイスがS-CTSパケットの成功する復号器の数を最大化する場合、有利である。S-CTSパケットの復号器が空間中に均等に広がり、同期ネットワーク中のデバイスが送信することができないかまたはWiFi干渉を経験するデッドゾーンを回避することもまた望ましい。同期ネットワーク中のデバイスの各々が、S-CTSを送信するために競合する場合、S-CTS衝突が増すことになる。このことはまた、同期デバイスの電力消費を増し、バッテリー寿命に悪影響を及ぼす。その上、同じ近隣における他のデバイスがすでにS-CTSを送信しており、WiFi/レガシーWiFiデバイスを沈黙させていることがあるので、S-CTS送信の一部が冗長となり得る。
【００４９】
いくつかの実施形態では、デバイスは、以前のS-CTS送信に基づいて、S-CTSを送信するべきか否かを動的に決定する。この手法は、冗長なS-CTS送信を低減し、それによって衝突を低減する。
【００５０】
いくつかの実施形態では、代替通信プロトコル、たとえば、非WiFiピアツーピア通信プロトコルを使用する通信に関して、WiFi信号を抑制して、周波数スペクトルが一時的に使用されることを可能にするために、S-CTS(Special  Clear  To  Send)信号が送られ、WiFiデバイスによって検出され、CTS信号として扱われる。複数の非WiFiデバイスによるS-CTS信号の送信は、それらの信号の衝突を生じることがあり、その場合、それらの信号は無効になり得る。さらに、S-CTS信号の送信は、非WiFiピアツーピア通信、たとえば、非WiFiピアツーピアトラフィック信号の使用を可能にするために、そのような信号を送信する可能性のあるピアツーピアデバイスにとって利用可能なバッテリー電力の量が通常は限られていることを前提として、節約することが望ましい送信電力を消費する。
【００５１】
様々な特徴に従って、信号抑制有用性メトリック(SSUM)が生成される。信号抑制有用性メトリックは、S-CTS信号を送信することが所与の時点においてどのくらい有益になるかの指示を与える。信号抑制有用性メトリック(SSUM)は、以下のうちの1つまたは複数を考慮に入れ、すなわち、送信されたS-CTS信号の有効カバレージエリア、S-CTS信号が、S-CTS信号の送信の不在時には抑制されることにならない信号の抑制を生じることになる確率、および/または、S-CTS信号が送信された場合に、別のS-CTS信号と衝突して無効になる確率である。様々な特徴が、有益な信号抑制有用性メトリック(SSUM)の生成を対象とするが、他の特徴は、生成されたSSUMを使用して、特定の時点においてS-CTS信号を送信するべきか否かを判断することを対象とする。SSUMは、以下のうちの1つまたは複数に基づいて生成され得、すなわち、i)他のデバイスから受信された1つまたは複数のS-CTS信号の強度、ii)他のデバイスからある時間期間において受信されるS-CTS信号の数、およびiii)ある時間期間において受信されるS-CTS信号の数と、1つまたは複数のそのような信号の強度との組合せである。諒解されるように、1つまたは複数の強いS-CTS信号の受信は、送信された場合にS-CTS信号によってカバーされることになるカバレージエリアが、他のデバイスによって送信中であるS-CTS信号によってすでにカバーされたカバレージエリアと同様になることを示す。多数のS-CTS信号を受信することは、S-CTS信号衝突を生じることによって、追加のS-CTS送信の利益が小さくなり、かつ/または、逆効果になる可能性があることを示す。
【００５２】
いくつかの実施形態では、所与のS-CTS送信機会についてのSSUMが低い場合、SSUMを生成するデバイスは、S-CTS信号を送信しないか、または、S-CTS信号の送信が生産的になることを示す、より高いSSUMが与えられると選択されることになるよりも、長いバックオフをS-CTS送信制御のために選択する。対応するS-CTS送信ウィンドウにおけるバックオフのために、S-CTS信号が送信されない場合、その送信がキャンセルされ、選択されたバックオフ送信タイマーの満了時に送信されない。
【００５３】
S-CTS送信をキャンセルするか、または長いバックオフタイマーを選択するために使用されるのではなく、SSUMは、S-CTS送信機会の総数に対して、いくつのそのような機会にデバイスが参加するかを制御するために使用され得る。したがって、SSUMは、S-CTS送信試行の周期を制御することができる。たとえば、S-CTS送信の低い有益性を示す低いSSUMは、デバイスが、毎回のS-CTS送信機会ではなく、1/N回のS-CTS送信機会ごと、たとえば、3回または4回の送信機会ごとに参加することを選択する結果になり得る。
【００５４】
いくつかの実施形態では、デバイスは、1/N回のS-CTS送信機会のみに参加し、S-CTS送信は、デバイスがS-CTS送信を試行することを決定する特定のS-CTS送信機会(WiFi  CTS送信機会期間)において完了されない場合、キャンセルされる。
【００５５】
いくつかの実施形態では、デバイス、たとえば、非WiFiピアツーピア通信プロトコルを使用するピアツーピアワイヤレス通信デバイスは、S-CTSを送信して、そのデバイス自体からの復号範囲内のWiFiデバイスを沈黙させる。図5の図500は、S-CTS信号を送信して、それらの近傍におけるWiFiデバイスを沈黙させることができ、実際に沈黙させることがある、3つの例示的なデバイス(デバイス1  502、デバイス2  504、デバイス3  506)を示す。デバイス1  502は、その送信の対応する復号エリアを有し、このエリアは、デバイス1  502を中心とする円514として表される。復号エリア514は、復号範囲R1  508に対応する。デバイス2  504は、その送信の対応する復号エリアを有し、このエリアは、デバイス2  504を中心とする円516として表される。復号エリア516は、復号範囲R2  510に対応する。デバイス3  506は、その送信の対応する復号エリアを有し、このエリアは、デバイス3  506を中心とする円518として表される。復号エリア518は、復号範囲R3  512に対応する。いくつかの実施形態では、R1=R2=R3である。いくつかのそのような実施形態では、デバイス1  502、デバイス2  504、およびデバイス3  506から送信されるS-CTS信号は、送信されるとき、同じ電力レベルで送信される。
【００５６】
デバイス1  502の近隣にあるデバイス、たとえば、デバイス2  504およびデバイス3  506がS-CTSを送信するとき、それらのデバイスは、デバイス1  502の復号エリアの小部分におけるレガシーWiFiデバイスを沈黙させる。S-CTS送信機の近接性、および近隣におけるS-CTS送信の数に応じて、デバイスの復号エリアの大部分がカバーされ得、実際にカバーされることがある。そのような場合、そのデバイスのS-CTSの有用性は低い。様々な実施形態では、そのような状況では、デバイスは、衝突を回避するために冗長なS-CTSを送信しない。図6は、デバイス2  504およびデバイス3  506がS-CTS信号を送信し、レガシーWiFiデバイスがデバイス1  502の復号エリア514の大部分で沈黙させられる、一例を示す。小さい陰影のないエリア602を除いて、復号エリア514の領域全体におけるWiFiデバイスが沈黙させられる。
【００５７】
いくつかの実施形態では、ワイヤレス通信デバイスは、S-CTS送信の有用性を推定する。いくつかのそのような実施形態では、ワイヤレス通信デバイスは、以下のメトリックのうちの1つまたは複数または全部に基づいて、その送信の有用性を推定することができ、実際に推定することがあり、すなわち、(i)最強の受信S-CTS信号の電力、(ii)受信されたS-CTS信号の数、および(iii)受信されたS-CTS信号によってカバーされた復号エリアを推定する有用性メトリックである。
【００５８】
いくつかの実施形態では、受信された最強のS-CTSの電力は、S-CTS信号を送信する有用性を推定するためのメトリックとして使用される。たとえば、デバイスは、最近隣からのS-CTS送信の受信電力に基づいて、最近隣からの距離を推定することができ、いくつかの実施形態では、実際に推定する。いくつかのそのような実施形態では、デバイスのS-CTS送信の有用性は、最近隣からの距離の単調増加関数である。言い換えれば、デバイスのS-CTS送信の有用性は、受信された最強のS-CTSの電力の単調減少関数である。
【００５９】
いくつかの実施形態では、受信されたS-CTSパケットの数は、S-CTS信号を送信する有用性を推定するためのメトリックとして使用される。たとえば、デバイスのS-CTS送信の有用性は、受信されたS-CTSパケットの数の単調減少関数である。
【００６０】
いくつかの実施形態では、受信されたS-CTS送信によってカバーされた復号エリアを推定する有用性メトリックは、S-CTS信号を送信する有用性を推定するためのメトリックとして使用される。デバイスは、デバイスが受信するS-CTS送信によってカバーされた復号エリアを推定することができ、いくつかの実施形態では、実際に推定する。1つのそのような例を、以下で与える。デバイスは、経路損失モデルを仮定して、S-CTSパケットのために必要とされる復号SNRに基づいて、それ自体の復号範囲R、および、したがって復号エリアを推定する。たとえば、デバイスが、以下のモデルを使用して経路損失を推定することを考えられたい。
距離d(m)における経路損失は、以下によって与えられる。
経路損失(dB)=k+アルファ*log(d)
K=28.6
アルファ=35
【００６１】
デバイスは、これまでにカバーされたその復号エリアの小部分の推定値、Mを維持し、各S-CTS受信後にその推定値を更新する。M=0に初期化する。i番目のS-CTSを復号した後、デバイスは、以下のステップを実行する。デバイスは、仮定された経路損失モデルを使用して、受信電力に基づいて、送信機の距離diを推定する。diおよびRに基づいて、デバイスは、受信されたS-CTSによってカバーされた復号エリアの小部分を推定する。fiがその小部分を示すとする。デバイスは、次のように、fiに基づいてMの推定値を更新する。
M=M+fi-M*fi
【００６２】
デバイスは、S-CTS送信機のロケーションを知らないので、上記の式は、i番目の送信機のロケーションが以前の送信機とは無関係であると仮定する。いくつかの実施形態では、NAVを介してS-CTSがカバーする時間間隔は、異なるS-CTS送信によって異なってよく、実際に異なることがある。1つのそのような実施形態では、デバイスは、デバイスがそのS-CTSによってカバーすることを意図する時間間隔をカバーするS-CTSパケットを受信した後、Mの推定値を更新する。いくつかの実施形態では、S-CTS送信の有用性は、Mの単調減少関数である。
【００６３】
デバイスがS-CTS信号を送信するべきであるか否かについての決定に、例示的なS-CTS有用性メトリックを組み込むことについて説明する。S-CTSは、ブロードキャストパケットであるので、それに関連付けられたACK/Nackがない。送信機は、Ackに基づいてバックオフウィンドウを適合させることができない。いくつかの実施形態では、S-CTS信号を送信することを意図するデバイスは、競合相手のその推定値と、それ自体の送信の有用性とに基づいて、バックオフを選ぶ。具体的には、デバイスは、以下の方式のうちの1つに従うことができる。
【００６４】
例示的な一実施形態では、デバイスは、競合ノードのその推定値に基づいて、S-CTS送信のためのランダムバックオフを選ぶ。推定された競合相手は、たとえば、ピア発見サイクルにおいて発見されたピアの数である。デバイスは、各S-CTS受信後にそのS-CTSの有用性を維持および更新し、有用性があるしきい値を下回る場合、送信をキャンセルする。
【００６５】
別の実施形態では、各S-CTS受信後、デバイスは、そのS-CTSの有用性を更新する。いくつかの実施形態では、デバイスは、各S-CTS受信後、新しいバックオフを選ぶ。いくつかの実施形態では、新しいバックオフは、競合相手のその推定値に比例する。いくつかの実施形態では、新しいバックオフは、そのS-CTSの有用性に反比例する。
【００６６】
いくつかの実施形態では、同期ネットワーク中のデバイスが時間直交化する。ネットワークが同期していても、デバイスはS-CTS信号を送信する前にキャリア検知する必要があるので、S-CTSを送信するためにTDM方式を有することは可能ではなく、S-CTS送信の開始は、チャネルが時々ビジーであるために変動してよく、実際に変動することがあることに留意されたい。したがって、時間直交化は粗く、S-CTS送信間隔においてS-CTSを送信しようと試行するデバイスのサブセットは、依然として互いに競合する。いくつかの実施形態で使用される、提案する解決策の詳細は、次のようになる。
【００６７】
いくつかの実施形態では、デバイスは、S-CTS信号を送信するための周期を判断する。いくつかのそのような実施形態では、デバイスが同期ネットワークに加わるとき、S-CTSを送信しようと試行するための周期を選ぶ。いくつかのそのような実施形態では、デバイスは、N個のS-CTS持続時間のうちの1つにおいて送信することを選択する。いくつかの実施形態では、Nはネットワーク上で固定であり、デバイスがトラフィック間隔において送信する周期に関係し得る。いくつかの実施形態では、Nは、トラフィックチャネル、ピア発見チャネルなど、論理周期チャネルにおいて送信するデバイスの数の、デバイスの推定に基づく。いくつかのそのような実施形態では、Nは、ネットワーク中のデバイスの総数の、デバイスの推定値に比例する。この手法は、S-CTSを送信するために競合するデバイスの数をほぼ一定に保つ傾向がある。
【００６８】
いくつかの実施形態では、デバイスは、それにおいて競合するべきS-CTS送信間隔を判断する。いくつかのそのような実施形態では、デバイスは、以下の方法のうちの1つにおいて、N個のS-CTS間隔のうちの1つのS-CTS送信間隔を選択する。(a)S-CTS間隔のインデックスは、擬似ランダムであり得、時間と送信機のMAC  IDとの関数であり得る。(b)ネットワーク上で固定のNを使用するいくつかの実施形態では、デバイスは、それにおいて送信するようにスケジュールされるトラフィック間隔よりも先行するS-CTS間隔を選択する。(c)デバイスは、それにおいて競合するべき間隔を選ぶ前にS-CTS間隔を監視し、それにおいてそのS-CTS送信が最も有益であるS-CTS送信間隔を選択する。いくつかの実施形態におけるS-CTS送信の有用性は、以下のうちの1つまたは複数または全部に基づいて判断され、すなわち、(i)その間隔において受信されたS-CTS送信の数、(ii)その間隔において受信されたS-CTS送信の最大電力である。
【００６９】
デバイスは、判断されたS-CTS送信間隔においてS-CTSを送信する。いくつかの実施形態では、デバイスは、WiFiプロトコルに従って、S-CTS送信間隔中に、いつ送信するべきかを判断する。デバイスは、チャネルを検知して、チャネルが空いているか否かを判断する。チャネルが空いている場合、デバイスは、S-CTSパケットを送信する前に、IFS期間およびランダムバックオフを待機する。デバイスは、さらに、チャネルを検知し始める時間をランダム化することによって、衝突を低減することができる。
【００７０】
デバイスは、ビジー間隔において、意図されたS-CTS送信をキャンセルする。バックオフが、選択された間隔において満了しない場合、または、送信を終了するためにS-CTS送信間隔において十分な時間が残されていない場合、デバイスは、その間隔中に、意図されたS-CTS送信をキャンセルし、すなわち、S-CTS送信間隔は、キャリア検知手順に基づいて、時間的に延長しない。いくつかの実施形態では、デバイスは、それにおいて競合する次のS-CTS送信間隔のための新しいバックオフを選ぶ。いくつかの実施形態では、デバイスは、現在のバックオフをフリーズさせ、次のS-CTS送信間隔においてそのバックオフをデクリメントする。
【００７１】
いくつかの実施形態では、デバイスは、より遅い時間スケールでネットワークを監視する。たとえば、デバイスは、より遅い時間スケールでネットワークを監視して、ネットワークトポロジーにおける変化を検出する。デバイスは、監視された変化に基づいて、周期とS-CTS送信間隔とを更新する。
【００７２】
図7〜図12は、ピアツーピアワイヤレス通信デバイスが、例示的な実施形態に従って、信号抑制有用性メトリックを生成し、生成された信号抑制有用性メトリックの値に基づいて、送信抑制信号を送信するべきか否かの決定を行う、いくつかの例を示す。図700は、複数のWiFiデバイス(WiFi基地局702、WiFiワイヤレス端末1  704、WiFiワイヤレス端末2  706、WiFiワイヤレス端末N-1  708、WiFi  WT  N  710)と、複数のピアツーピアワイヤレス端末(ピアツーピアワイヤレス端末A  712、ピアツーピアワイヤレス端末B  714、ピアツーピアワイヤレス端末C  716、ピアツーピアワイヤレス端末D  718)とを示す。図7のデバイスは、たとえば、図1のシステム100のデバイスである。いくつかの実施形態では、ピアツーピアWT  A  712は、図3のワイヤレス通信デバイス300である。ピアツーピアデバイスは、S-CTS信号である送信抑制信号を送信して、WiFi送信を抑制し、通常はWiFiのために使用されるエアリンクリソースがピアツーピアネットワークによって使用され得るようにする。
【００７３】
図7の例では、ピアツーピアWT  B  714はS-CTS信号720を送信し、ピアツーピアWT  C  716はS-CTS信号722を送信し、ピアツーピアWT  D  718はS-CTS信号724を送信する。他のピアツーピアデバイスからの送信抑制信号について監視していたピアツーピアWT  A  712は、信号720を受信し、ブロック726によって示されるように、その信号が極めて強い信号であること、たとえば、極めて強い信号を識別するしきい値レベルを上回ることを、その受信電力レベルが示すと判断する。P-P  WT  A  712は、信号720の受信電力レベルに応じて、信号抑制有用性メトリック(SSUM)を生成する。この例では、ブロック728によって示されるように、SSUMは低い値であり、たとえば、所定のしきい値を下回る。P-P  WT  A  712は、ブロック730によって示されるように、生成されたSSUMの値に基づいて、S-CTS信号を送信することを控える決定を行う。
【００７４】
図800における図8の例では、ピアツーピアWT  B  714はS-CTS信号820を送信し、ピアツーピアWT  C  716はS-CTS信号822を送信し、ピアツーピアWT  D  718はS-CTS信号824を送信する。他のピアツーピアデバイスからの送信抑制信号について監視していたピアツーピアWT  A  712は、信号820、822および824を受信し、ブロック826によって示されるように、3つの異なるピアツーピアワイヤレス通信デバイスから3つのS-CTS信号を受信したと判断する。P-P  WT  A  712は、検出された信号抑制信号の数に応じて、信号抑制有用性メトリック(SSUM)を生成する。この例では、ブロック828によって示されるように、SSUMは低い値であり、たとえば、所定のしきい値を下回る。P-P  WT  A  712は、ブロック830によって示されるように、生成されたSSUMの値に基づいて、S-CTS信号を送信することを控える決定を行う。
【００７５】
図900における図9の例では、ピアツーピアWT  B  714はS-CTS信号920を送信し、ピアツーピアWT  C  716はS-CTS信号922を送信し、ピアツーピアWT  D  718はS-CTS信号924を送信する。送信抑制信号について監視していたピアツーピアWT  A  712は、ブロック926によって示されるように、いかなる信号も検出しない。P-P  WT  A  712は、検出された信号抑制信号の数に応じて、信号抑制有用性メトリック(SSUM)を生成する。この例では、ブロック928によって示されるように、SSUMは高い値であり、たとえば、所定のしきい値を上回る。P-P  WT  A  712は、ブロック930によって示されるように、生成されたSSUMの値に基づいて、S-CTS信号を送信する決定を行う。
【００７６】
図1000における図10の例では、ピアツーピアWT  A  712は、図9のブロック930の決定に応答して、S-CTS信号1004を送信し、ピアツーピアWT  B  714はS-CTS信号1006を送信し、ピアツーピアWT  C  716はS-CTS信号1008を送信し、ピアツーピアWT  D  718はS-CTS信号1010を送信する。
【００７７】
図1100における図11の例では、ピアツーピアWT  B  714はS-CTS信号1120を送信し、ピアツーピアWT  C  716はS-CTS信号1122を送信し、ピアツーピアWT  D  718はS-CTS信号1124を送信する。送信抑制信号について監視していたピアツーピアWT  A  712は、ブロック1126によって示されるように、中間電力レベルにおける、1つのS-CTS信号である信号1122を検出する。P-P  WT  A  712は、検出された信号抑制信号の数と、検出された送信抑制信号の受信電力レベルとに応じて、信号抑制有用性メトリック(SSUM)を生成する。この例では、ブロック1128によって示されるように、SSUMは高い値であり、たとえば、所定のしきい値を上回る。P-P  WT  A  712は、ブロック1130によって示されるように、生成されたSSUMの値に基づいて、S-CTS信号を送信する決定を行う。
【００７８】
図1200における図12の例では、ピアツーピアWT  A  712は、図11のブロック1130の決定に応答して、S-CTS信号1204を送信し、ピアツーピアWT  B  714はS-CTS信号1206を送信し、ピアツーピアWT  C  716はS-CTS信号1208を送信し、ピアツーピアWT  D  718はS-CTS信号1210を送信する。
【００７９】
SSUMの生成、および、送信抑制信号を送信するべきか否かについての決定について、ピアツーピアワイヤレス端末A  712によって実行される動作に関して説明した。他のピアツーピアワイヤレス端末、たとえば、デバイス714、716、および718もまた、同様の動作を実行中であることを諒解されたい。加えて、ピアツーピアデバイスによって送信される送信抑制信号は、WiFiネットワーク中の送信を抑制するために使用されており、たとえば、S-CTS信号を受信するWiFiデバイスが、受信CTS信号のためのWiFiプロトコルに従って受信S-CTS信号に応答して、ある時間期間の間に送信することを防止されることを諒解されたい。
【００８０】
いくつかの実施形態では、生成されたSSUMに基づいて、送信抑制信号を送信するべきか否かを決定することに加えて、ピアツーピアワイヤレス通信デバイスは、生成されたSSUMに応じて、送信抑制信号を送信するべきレートを決定する。
【００８１】
図13は、図13Aおよび図13Bの組合せを含み、例示的な実施形態による、ワイヤレス通信デバイスを動作させる例示的な方法のフローチャート1300である。フローチャート1300の方法を実施するワイヤレス通信デバイスは、たとえば、図1のシステム100のピアツーピアワイヤレス端末(112、...、114)のうちの1つである。図13のフローチャート1300では、ワイヤレス通信デバイスは、信号抑制有用性メトリック(SSUM)を更新し、SSUMに基づいて、送信抑制信号、たとえば、S-CTS信号を送信するべきか否かを判断する。
【００８２】
動作は、ステップ1302で開始し、そこで、ワイヤレス通信デバイスが電源投入されて初期化される。動作は、開始ステップ1302からステップ1304へ進む。ステップ1304で、ワイヤレス通信デバイスが、送信機会についての信号抑制有用性メトリック(SSUM)を初期化し、バックオフを初期化する。動作は、ステップ1304からステップ1306へ進む。
【００８３】
ステップ1306で、ワイヤレス通信デバイスが、生成された信号抑制有用性メトリックの値に基づいて、送信抑制信号、たとえば、S-CTS信号を送信するべきか否かの決定を行う。いくつかの実施形態では、送信抑制信号はS-CTS信号であり、ワイヤレス通信デバイスは、WiFiに準拠していない通信プロトコルを使用するピアツーピア通信デバイスであり、Wi-FiがS-CTS信号の送信によって抑制されるべきである。ステップ1306は、ステップ1308、1310、1312および1314を含む。ステップ1308で、ワイヤレス通信デバイスが、信号抑制有用性メトリックを第1のしきい値と比較する。動作は、ステップ1308からステップ1310へ進む。ステップ1310で、信号抑制有用性メトリックが、低レベルの有益性を示す第1のしきい値未満である場合、動作は、ステップ1310からステップ1312へ進み、そこで、ワイヤレス通信デバイスが、送信抑制信号を送信しないことを決定する。ただし、信号抑制有用性メトリックが第1のしきい値以上である場合、動作は、ステップ1310からステップ1314へ進み、そこで、ワイヤレス通信デバイスが、送信抑制信号を送信することを決定する。
【００８４】
いくつかの実施形態では、動作は、ステップ1314からステップ1316へ進む。他の実施形態では、動作は、ステップ1314からステップ1317へ進む。ステップ1316に戻ると、ステップ1316で、ワイヤレス通信デバイスが、信号抑制有用性メトリックに基づいて、バックオフタイマーを選択する。動作は、ステップ1316からステップ1317へ進む。
【００８５】
ステップ1317で、ワイヤレス通信デバイスが、ワイヤレス媒体を監視する。動作は、ステップ1317からステップ1318へ進む。ステップ1318で、ワイヤレス通信デバイスが、あるスロットの間に媒体がビジーであるか否かを判断する。ワイヤレス通信デバイスが、あるスロットの間に媒体がビジーであると判断する場合、動作は、ステップ1318からステップ1320へ進む。ただし、ワイヤレス通信デバイスが、そのスロットの間に媒体がビジーではないと判断する場合、動作はステップ1322へ進み、そこで、ワイヤレス通信デバイスが、バックオフタイマーをデクリメントする。動作は、ステップ1322から、接続ノードA  1324を介してステップ1328へ進む。
【００８６】
ステップ1328で、ワイヤレス通信デバイスが、バックオフタイマーが現在の送信機会時間間隔内に満了したか否かを判断する。バックオフタイマーが満了した場合、動作は、ステップ1328からステップ1334へ進み、そこで、バックオフタイマーが満了するとき、ワイヤレス通信デバイスが、送信抑制信号、たとえば、S-CTS信号を送信する。ただし、バックオフタイマーが満了していない場合、動作は、ステップ1328からステップ1330へ進み、そこで、ワイヤレス通信デバイスが、現在の送信機会時間間隔が満了したか否かを確認する。現在の送信機会時間間隔が満了した場合、動作は、ステップ1330からステップ1332へ進み、そこで、選択されたバックオフタイマーが現在の送信機会時間間隔内に満了せず、現在の送信機会時間間隔が終了したので、ワイヤレス通信デバイスが送信抑制信号をキャンセルする。
【００８７】
ただし、ステップ1330の確認で、現在の送信機会時間間隔が満了していないと判断した場合、動作は、ステップ1330から、接続ノードC  1336を介してステップ1317へ進む。
【００８８】
ステップ1320に戻ると、ステップ1320で、ワイヤレス通信デバイスが、あるスロットの間に媒体をビジーにさせる、検出された送信が、別のデバイスからの送信抑制信号、たとえば、S-CTS信号であるか否かを判断する。その送信が送信抑制信号ではない場合、動作は、さらに媒体を監視するために、ステップ1320からステップ1317へ進む。ただし、検出された送信が送信抑制信号である場合、動作は、ステップ1320から、接続ノードB  1326を介してステップ1338へ進む。
【００８９】
ステップ1338で、ワイヤレス通信デバイスが、他のデバイスによる送信を抑制するために使用される信号の送信の有効性を推定する、信号抑制有用性メトリック(SSUM)を生成し、たとえば、ワイヤレス通信デバイスが、SSUMを更新する。ステップ1338は、ステップ1340および1342を含む。いくつかの実施形態では、ステップ1338は、ステップ1344、1346および1348のうちの1つもしくは複数またはすべてを含む。ステップ1340で、ワイヤレス通信デバイスが、ある時間期間の間に他のデバイスからの送信抑制信号、たとえば、S-CTS信号について監視する。次いで、ステップ1342で、ワイヤレス通信デバイスが、前記時間期間中に受信された送信抑制信号の電力を測定する。ステップ1344で、ワイヤレス通信デバイスが、前記時間期間中に受信された送信抑制信号の数が多いほど、より低い信号抑制有用性メトリックを生成する。ステップ1346で、ワイヤレス通信デバイスが、少なくとも1つの受信された送信抑制信号の測定電力に基づいて、信号抑制有用性メトリックを生成する。いくつかの実施形態では、ステップ1344で、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、ワイヤレス通信デバイスが信号抑制有用性メトリック(SSUM)を生成する。ステップ1348で、ワイヤレス通信デバイスが、受信された送信抑制信号の数と、少なくとも最強の受信された送信抑制信号の測定送信電力の両方に基づいて、信号抑制有用性メトリックを生成する。動作は、ステップ1338から、接続ノードD  1350を介してステップ1306の入力へ進む。
【００９０】
図14は、例示的な実施形態による、ワイヤレス通信デバイスを動作させる例示的な方法のフローチャート1400である。フローチャート1400の方法を実施するワイヤレス通信デバイスは、たとえば、図1のシステム100のピアツーピアワイヤレス端末(112、...、114)のうちの1つである。図14のフローチャート1400では、ワイヤレス通信デバイスは、送信抑制機会よりも遅い時間スケールで送信機会の周期を選択し、たとえば、ワイヤレス通信デバイスは、K個のS-CTS送信機会後に周期と将来の送信機会とを選択する。
【００９１】
動作は、ステップ1402で開始し、そこで、ワイヤレス通信デバイスが電源投入されて初期化される。動作は、開始ステップ1402からステップ1404へ進む。ステップ1404で、ワイヤレス通信デバイスが、送信機会の初期周期を選択する。動作は、ステップ1404からステップ1406へ進む。ステップ1406で、ワイヤレス通信デバイスが、送信カウンタを1で開始し、たとえば、送信カウンタ=1に設定する。動作は、ステップ1406からステップ1408へ進む。
【００９２】
ステップ1408で、ワイヤレス通信デバイスが、他のデバイスによる送信を抑制するために使用される信号の送信の有効性を推定する、信号抑制有用性メトリック(SSUM)を生成する。ステップ1408は、ステップ1410および1412を含む。いくつかの実施形態では、ステップ1418は、ステップ1414、1416および1418のうちの1つもしくは複数またはすべてを含む。ステップ1410で、ワイヤレス通信デバイスが、ある時間期間の間に他のデバイスからの送信抑制信号、たとえば、S-CTS信号について監視する。次いで、ステップ1412で、ワイヤレス通信デバイスが、前記時間期間中に受信された送信抑制信号の電力を測定する。ステップ1414で、ワイヤレス通信デバイスが、前記時間期間中に受信された送信抑制信号の数が多いほど、より低い信号抑制有用性メトリックを生成する。ステップ1416で、ワイヤレス通信デバイスが、少なくとも1つの受信された送信抑制信号の測定電力に基づいて、信号抑制有用性メトリックを生成する。いくつかの実施形態では、ステップ1416で、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、ワイヤレス通信デバイスが信号抑制有用性メトリック(SSUM)を生成する。ステップ1418で、ワイヤレス通信デバイスが、受信された送信抑制信号の数と、少なくとも最強の受信された送信抑制信号の測定送信電力の両方に基づいて、信号抑制有用性メトリックを生成する。
【００９３】
動作は、ステップ1408からステップ1420へ進む。ステップ1420で、ワイヤレス通信デバイスが、送信カウンタをインクリメントする。次いで、ステップ1422で、ワイヤレス通信デバイスが、送信カウンタがKに等しいか否かをテストし、ただし、Kは、2以上の正の整数である。いくつかの実施形態では、Kは所定の固定値である。いくつかの実施形態では、Kは10以上である。いくつかの実施形態では、Kは50以上である。いくつかの実施形態では、Kは、デバイスによって選択された信号抑制信号送信の現在の周期に依存してよく、実際に依存することがある。
【００９４】
ステップ1422のテストが、送信カウンタがKに等しくないことを示す場合、動作は、ステップ1422からステップ1408へ進む。ただし、ステップ1422のテストが、カウンタがKに等しいことを示す場合、動作は、ステップ1422からステップ1424へ進む。
【００９５】
ステップ1424で、ワイヤレス通信デバイスが、信号抑制有用性メトリックの値に基づいて、ワイヤレス通信デバイスが送信抑制信号を送信するための機会に対して参加することになる、送信機会の周期を選択する。いくつかの実施形態では、SSUMが低いほど、デバイスが参加する送信機会の頻度が低くなる。動作は、ステップ1424からステップ1426へ進む。ステップ1426で、ワイヤレス通信デバイスが、以前の送信機会に対応する、少なくともいくつかの生成された信号抑制有用性メトリックに基づいて、可能な送信抑制信号、たとえば、S-CTS信号の送信について検討するための将来の送信機会のサブセットを選択する。たとえば、ワイヤレス通信デバイスは、繰り返し発生する送信機会の特定のサブセットを選択し、たとえば、ワイヤレス通信デバイスは、それにおいて送信について検討するための各3つの送信機会のうちの最初のものを選択する。動作は、ステップ1426からステップ1406へ進む。
【００９６】
図15は、例示的な実施形態による、例示的なワイヤレス通信デバイス1500、たとえば、ピアツーピアモバイルノードの図である。例示的な通信デバイス1500は、たとえば、図1のシステム100のピアツーピアワイヤレス通信デバイス(112、...、114)のうちの1つである。例示的なワイヤレス通信デバイス1500は、図13のフローチャート1300による方法を実施することができ、実際に実施することがある。
【００９７】
ワイヤレス通信デバイス1500は、バス1509を介して一緒に結合されたプロセッサ1502とメモリ1504とを含み、バス1509を介して、様々な要素(1502、1504)がデータおよび情報を交換し得る。通信デバイス1500は、図示のようにプロセッサ1502に結合され得る入力モジュール1506と出力モジュール1508とをさらに含む。ただし、いくつかの実施形態では、入力モジュール1506と出力モジュール1508とは、プロセッサ1502の内部に配置される。入力モジュール1506は、入力信号を受信することができる。入力モジュール1506は、入力を受信するためのワイヤレス受信機および/またはワイヤードもしくは光入力インターフェースを含んでもよく、いくつかの実施形態では、実際に含む。出力モジュール1508は、出力を送信するためのワイヤレス送信機および/またはワイヤードもしくは光出力インターフェースを含んでもよく、いくつかの実施形態では、実際に含む。いくつかの実施形態では、メモリ1504は、ルーチン1511とデータ/情報1513とを含む。
【００９８】
いくつかの実施形態では、プロセッサ1502は、図13のフローチャート1300の例示的な方法のステップの各々を実施するように構成される。
【００９９】
図16は、図16Aおよび図16Bの組合せを含み、図15に示す例示的なワイヤレス通信デバイス1500中で使用されることがあり、いくつかの実施形態では実際に使用される、モジュールのアセンブリ1600である。アセンブリ1600中のモジュールは、たとえば、個別回路として、図15のプロセッサ1502内にハードウェアとして実装されてよい。代替として、モジュールは、ソフトウェアとして実装され得、図15に示すワイヤレス通信デバイス1500のメモリ1504に記憶され得る。いくつかのそのような実施形態では、モジュールのアセンブリ1600は、図15のデバイス1500のメモリ1504のルーチン1511の中に含まれる。図15に、実施形態を単一のプロセッサ、たとえばコンピュータとして示すが、プロセッサ1502は、1つまたは複数のプロセッサ、たとえばコンピュータとして実装され得ることを諒解されたい。ソフトウェアとして実装されるとき、モジュールはコードを含み、そのコードは、プロセッサによって実行されると、モジュールに対応する機能を実装するようにプロセッサ、たとえばコンピュータ、1502を構成する。いくつかの実施形態では、プロセッサ1502は、モジュールのアセンブリ1600のモジュールの各々を実装するように構成される。モジュールのアセンブリ1600がメモリ1504に記憶される実施形態では、メモリ1504は、コンピュータ可読媒体、たとえば非一時的コンピュータ可読媒体を含むコンピュータプログラム製品であり、コンピュータ可読媒体は、少なくとも1つのコンピュータ、たとえば、プロセッサ1502に、モジュールが対応する機能を実装させるためのコード、たとえば、各モジュールに対する個別コードを含む。
【０１００】
完全にハードウェアベースのまたは完全にソフトウェアベースのモジュールが、使用されてよい。しかしながら、ソフトウェアおよびハードウェア(たとえば、回路実装型)のモジュールの任意の組合せが、機能を実装するために使用され得ることを諒解されたい。諒解されるように、図16に示すモジュールは、ワイヤレス通信デバイス1500、またはその中にあるプロセッサ1502のような要素が、図13のフローチャート1300の方法において図示および/または説明する、対応するステップの機能を実行するように制御および/または構成する。
【０１０１】
モジュールのアセンブリ1600は、部分A  1601と部分B  1603とを含む。モジュールのアセンブリ1600は、送信機会についての信号抑制有用性メトリック(SSUM)を初期化し、バックオフタイマーを初期化するためのモジュール1604を含む。モジュールのアセンブリ1600は、生成された信号抑制有用性メトリックの値に基づいて、送信抑制信号を送信するべきか否かの決定を行うためのモジュール1606をさらに含む。モジュール1606は、信号抑制有用性メトリックを、低レベルの有益性を示す第1のしきい値と比較するためのモジュール1608と、信号抑制有用性メトリックと、低レベルの有益性を示す第1のしきい値との間の比較の結果に応じて、動作を制御するためのモジュール1610と、信号抑制有用性メトリックが、低レベルの有益性を示す第1のしきい値未満であるとき、送信抑制信号を送信しないことを決定するためのモジュール1612と、信号抑制有用性メトリックが第1のしきい値以上であるとき、送信抑制信号を送信することを決定するためのモジュール1614とを含む。
【０１０２】
モジュールのアセンブリ1600は、信号抑制有用性メトリックに基づいて、バックオフタイマーを選択するためのモジュール1616と、ワイヤレス媒体を監視するためのモジュール1617と、監視されたワイヤレス媒体が、あるスロットの間にビジーであるか否かを判断するためのモジュール1618と、監視されたワイヤレス媒体が、あるスロットの間にビジーであるか否かの判断に応じて、動作を制御するためのモジュール1619と、検出された送信が、別のデバイスからの送信抑制信号、たとえば、S-CTS信号であるか否かを判断するためのモジュール1620と、検出された送信が、別のデバイスからの送信抑制信号、たとえば、S-CTS信号であるか否かの判断に応じて、動作を制御するためのモジュール1621と、バックオフタイマーをデクリメントするためのモジュール1622とをさらに含む。
【０１０３】
モジュールのアセンブリ1600は、バックオフタイマーが現在の送信機会時間間隔内に満了したか否かを判断するためのモジュール1628と、バックオフタイマーが現在の送信機会時間間隔内に満了したか否かについての判断に応じて、動作を制御するためのモジュール1629と、現在の送信機会時間間隔が満了したか否かを判断するためのモジュール1630と、現在の送信機会時間間隔が満了したか否かについての判断に応じて、動作を制御するためのモジュール1631と、選択されたタイマーが現在の送信機会時間間隔内に満了しない場合、送信抑制信号をキャンセルするためのモジュール1632と、バックオフタイマーが満了するとき、送信抑制信号、たとえば、S-CTS信号を送信するためのモジュール1634とをさらに含む。
【０１０４】
モジュールのアセンブリ1600は、他のデバイスによる送信を抑制するために使用される信号の送信の有効性を推定する、信号抑制有用性メトリックを生成するためのモジュール1638、たとえば、SSUMを更新するためのモジュールをさらに含む。信号抑制有用性メトリックを生成するためのモジュール1638は、ある時間期間の間に他のデバイスからの送信抑制信号について監視するためのモジュール1640と、前記時間期間中に受信された送信抑制信号の電力を測定するためのモジュール1642と、前記時間期間中に受信された送信抑制信号の数が多いほど、より低い信号抑制有用性メトリックを生成するためのモジュール1644と、少なくとも1つの受信された送信抑制信号の測定電力に基づいて、信号抑制有用性メトリックを生成するためのモジュール1646と、受信された送信抑制信号の数と、少なくとも最強の受信された送信抑制信号の測定送信電力の両方に基づいて、信号抑制有用性メトリックを生成するためのモジュール1648とを含む。いくつかの実施形態では、モジュール1646は、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、信号抑制有用性メトリック(SSUM)を生成する。
【０１０５】
いくつかの実施形態では、送信抑制信号はS-CTS信号であり、モジュールのアセンブリ1600を含むワイヤレス通信デバイスは、S-CTS信号の送信によって抑制されるべきであるWiFiに準拠していない通信プロトコルを使用するピアツーピア通信デバイスである。いくつかの実施形態では、S-CTS信号は、CTS  to  self信号である。
【０１０６】
図17は、例示的な実施形態による、例示的なワイヤレス通信システム1700、たとえば、ピアツーピアモバイルノードの図である。例示的な通信デバイス1700は、たとえば、図1のシステム100のピアツーピアワイヤレス通信デバイス(112、...、114)のうちの1つである。例示的なワイヤレス通信デバイス1700は、図14のフローチャート1400による方法を実施することができ、実際に実施することがある。
【０１０７】
ワイヤレス通信デバイス1700は、バス1709を介して一緒に結合されたプロセッサ1702とメモリ1704とを含み、バス1709を介して、様々な要素(1702、1704)がデータおよび情報を交換し得る。通信デバイス1700は、図示のようにプロセッサ1702に結合され得る入力モジュール1706と出力モジュール1708とをさらに含む。しかしながら、いくつかの実施形態では、入力モジュール1706および出力モジュール1708は、プロセッサ1702の内部に配置される。入力モジュール1706は、入力信号を受信することができる。入力モジュール1706は、入力を受信するためのワイヤレス受信機および/またはワイヤードもしくは光入力インターフェースを含んでもよく、いくつかの実施形態では、実際に含む。出力モジュール1708は、出力を送信するためのワイヤレス送信機および/またはワイヤードもしくは光出力インターフェースを含んでもよく、いくつかの実施形態では、実際に含む。いくつかの実施形態では、メモリ1704が、ルーチン1711とデータ/情報1713とを含む。
【０１０８】
いくつかの実施形態では、プロセッサ1702は、図14のフローチャート1400の例示的な方法のステップの各々を実施するように構成される。
【０１０９】
図18は、図17に示す例示的なワイヤレス通信デバイス1700中で使用されることがあり、いくつかの実施形態では実際に使用される、モジュールのアセンブリ1800である。アセンブリ1800中のモジュールは、たとえば、個別回路として、図17のプロセッサ1702内にハードウェアとして実装されてよい。代替として、モジュールは、ソフトウェアとして実装され得、図17に示すワイヤレス通信デバイス1700のメモリ1704に記憶され得る。いくつかのそのような実施形態では、モジュールのアセンブリ1800は、図17のデバイス1700のメモリ1704のルーチン1711の中に含まれる。図17に、実施形態を単一のプロセッサ、たとえばコンピュータとして示すが、プロセッサ1702は、1つまたは複数のプロセッサ、たとえばコンピュータとして実装され得ることを諒解されたい。ソフトウェアとして実装されるとき、モジュールはコードを含み、そのコードは、プロセッサによって実行されると、モジュールに対応する機能を実装するようにプロセッサ、たとえばコンピュータ、1702を構成する。いくつかの実施形態では、プロセッサ1702は、モジュールのアセンブリ1800のモジュールの各々を実装するように構成される。モジュールのアセンブリ1800がメモリ1704に記憶される実施形態では、メモリ1704は、コンピュータ可読媒体、たとえば非一時的コンピュータ可読媒体を含むコンピュータプログラム製品であり、コンピュータ可読媒体は、少なくとも1つのコンピュータ、たとえば、プロセッサ1702に、モジュールが対応する機能を実装させるためのコード、たとえば、各モジュールに対する個別コードを含む。
【０１１０】
完全にハードウェアベースのまたは完全にソフトウェアベースのモジュールが、使用されてよい。しかしながら、ソフトウェアおよびハードウェア(たとえば、回路実装型)のモジュールの任意の組合せが、機能を実装するために使用され得ることを諒解されたい。諒解されるように、図18に示すモジュールは、ワイヤレス通信デバイス1700、またはその中にあるプロセッサ1702のような要素が、図14のフローチャート1400の方法において図示および/または説明する、対応するステップの機能を実行するように制御および/または構成する。
【０１１１】
モジュールのアセンブリ1800は、送信機会の初期周期を選択するためのモジュール1804と、送信カウンタを1の値で開始するためのモジュール1806であって、たとえば、送信カウンタを1に初期化するためのモジュールと、他のデバイスによる送信を抑制するために使用される信号の送信の有効性を推定する、信号抑制有用性メトリックを生成するためのモジュール1808とを含む。信号抑制有用性メトリックを生成するためのモジュール1808は、ある時間期間の間に他のデバイスからの送信抑制信号について監視するためのモジュール1810と、前記時間期間中に受信された送信抑制信号の電力を測定するためのモジュール1812と、前記時間期間中に受信された送信抑制信号の数が多いほど、より低い信号抑制有用性メトリックを生成するためのモジュール1814と、少なくとも1つの受信された送信抑制信号の測定電力に基づいて、信号抑制有用性メトリックを生成するためのモジュール1816と、受信された送信抑制信号の数と、少なくとも最強の受信された送信抑制信号の測定送信電力の両方に基づいて、信号抑制有用性メトリックを生成するためのモジュール1818とを含む。いくつかの実施形態では、モジュール1816は、少なくとも1つの受信された送信抑制信号の測定電力を入力として使用し、低い受信電力レベルに対してよりも、高い受信電力レベルに対して、より低い信号抑制有用性メトリック(SSUM)値を生じる、信号抑制有用性メトリック(SSUM)関数に基づいて、信号抑制有用性メトリック(SSUM)を生成する。
【０１１２】
モジュールのアセンブリ1800は、送信カウンタをインクリメントするためのモジュール1820と、送信カウンタ=Kであるか否かを判断するためのモジュール1822と、送信カウンタ=Kであるか否かの判断に応じて、動作を制御するためのモジュール1823とをさらに含む。モジュールのアセンブリ1800は、信号抑制有用性メトリックの値に基づいて、ワイヤレス通信デバイスが送信抑制信号を送信するための機会に対して参加することになる、送信機会の周期を選択するためのモジュール1824と、以前の送信機会に対応する、少なくともいくつかの生成された信号抑制有用性メトリックに基づいて、可能な送信抑制信号、たとえば、S-CTS信号の送信について検討するための将来の送信機会のサブセットを選択するためのモジュール1826とをさらに含む。いくつかの実施形態では、モジュール1824は、SSUMが低いほど、ワイヤレス通信デバイスが参加することになる送信機会の頻度が低くなるように、周期を選択する。
【０１１３】
いくつかの実施形態では、送信抑制信号はS-CTS信号であり、モジュールのアセンブリ1800を含むワイヤレス通信デバイスは、S-CTS信号の送信によって抑制されるべきであるWiFiに準拠していない通信プロトコルを使用するピアツーピア通信デバイスである。いくつかの実施形態では、S-CTS信号は、CTS  to  self信号である。
【０１１４】
様々な実施形態では、デバイス、たとえば、図1のシステム100におけるピアツーピアワイヤレス通信デバイス、および/または図3のワイヤレス通信デバイス300、および/または図5のデバイスのうちの1つ、および/または図7〜図12のピアツーピアワイヤレス端末のうちの1つ、および/または図15のワイヤレス通信デバイス1500、および/または図17のワイヤレス通信デバイス1700は、本出願の図面のいずれかに関して説明し、かつ/または本出願の発明を実施するための形態において説明した、個々のステップおよび/または動作の各々に対応するモジュールを含む。いくつかの実施形態では、モジュールは、たとえば、回路の形態で、ハードウェアにおいて実装される。したがって、少なくともいくつかの実施形態では、モジュールは、ハードウェアにおいて実装されてよく、実際に実装されることがある。他の実施形態では、モジュールは、通信デバイスのプロセッサによって実行されると、デバイスに、対応するステップまたは動作を実装させるプロセッサ実行可能命令を含むソフトウェアモジュールとして実装されてよく、実際に実装されることがある。さらに他の実施形態では、モジュールの一部または全部が、ハードウェアとソフトウェアの組合せとして実装される。
【０１１５】
様々な実施形態の技法は、ソフトウェア、ハードウェア、および/またはソフトウェアとハードウェアの組合せを使用して実施され得る。様々な実施形態は、装置、たとえば、ネットワークノード、ピアツーピア通信をサポートするモバイル端末などのモバイルノード、基地局などのアクセスポイント、および/または通信システムを対象とする。様々な実施形態はまた、方法、たとえば、ネットワークノード、モバイルノード、基地局などのアクセスポイント、および/または通信システム、たとえばホストを制御し、かつ/または動作させる方法を対象とする。様々な実施形態はまた、方法の1つまたは複数のステップを実施するための機械を制御するための機械可読命令を含む、機械、たとえば、コンピュータ、可読媒体、たとえば、ROM、RAM、CD、ハードディスクなどを対象とする。コンピュータ可読媒体は、たとえば、非一時的コンピュータ可読媒体である。
【０１１６】
開示したプロセスにおけるステップの特定の順序または階層は、例示的な手法の一例であることを理解されたい。設計上の選好に基づいて、プロセス中のステップの特定の順序または階層は、本開示の範囲内のまま再構成され得ることを理解されたい。添付の方法クレームは、様々なステップの要素を例示的な順序で提示したものであり、提示された特定の順序または階層に限定されるものではない。
【０１１７】
様々な実施形態では、本明細書で説明したノードは、1つまたは複数の方法に対応するステップ、たとえば、信号処理ステップ、信号生成ステップおよび/または送信ステップを実行するための、1つまたは複数のモジュールを使用して実装される。したがって、いくつかの実施形態では、様々な特徴がモジュールを使用して実施される。そのようなモジュールは、ソフトウェア、ハードウェアまたはソフトウェアとハードウェアの組合せを使用して実装され得る。上記の方法または方法ステップの多くは、たとえば1つまたは複数のノードにおいて、上記の方法のすべてまたは一部を実施するために、追加のハードウェアの有無にかかわらず、機械、たとえば汎用コンピュータを制御するためのメモリデバイス、たとえば、RAM、フロッピー（登録商標）ディスクなどのような機械可読媒体中に含まれる、ソフトウェアなどの機械実行可能命令を使用して実施され得る。したがって、特に、様々な実施形態は、機械、たとえば、プロセッサおよび関連するハードウェアに、上述の方法のステップのうちの1つまたは複数を実施させるための機械実行可能命令を含む機械可読媒体、たとえば非一時的コンピュータ可読媒体を対象とする。いくつかの実施形態は、本発明の1つまたは複数の方法のステップのうちの1つ、複数またはすべてを実施するように構成されたプロセッサを含むデバイス、たとえば、通信ノードを対象とする。
【０１１８】
いくつかの実施形態では、1つまたは複数のデバイス、たとえばネットワークノード、アクセスノードおよび/またはワイヤレス端末などの通信ノードのプロセッサ、たとえばCPUは、通信ノードによって実行されるものとして説明した方法のステップを実行するように構成される。プロセッサの構成は、プロセッサ構成を制御するために、1つもしくは複数のモジュール、たとえばソフトウェアモジュールを使用することによって、かつ/または、列挙したステップを実行するために、かつ/もしくはプロセッサ構成を制御するために、プロセッサ中にハードウェア、たとえばハードウェアモジュールを含めることによって、達成され得る。したがって、すべてではないが、いくつかの実施形態は、プロセッサが含まれるデバイスによって実行される様々な説明された方法のステップの各々に対応するモジュールを含むプロセッサをもつデバイス、たとえば、通信ノードを対象とする。すべてではないが、いくつかの実施形態では、デバイス、たとえば、通信ノードは、プロセッサが含まれるデバイスによって実行される様々な説明された方法のステップの各々に対応するモジュールを含む。モジュールは、ソフトウェアおよび/またはハードウェアを使用して実装され得る。
【０１１９】
いくつかの実施形態は、1つのコンピュータまたは複数のコンピュータに、様々な機能、ステップ、行為、および/または動作、たとえば、上述の1つまたは複数のステップを実施させるためのコードを備えるコンピュータ可読媒体、たとえば非一時的コンピュータ可読媒体を備えるコンピュータプログラム製品を対象とする。実施形態に応じて、コンピュータプログラム製品は、実行すべきステップごとに異なるコードを含んでもよく、実際に含むことがある。したがって、コンピュータプログラム製品は、方法、たとえば、通信デバイスまたはノードを制御する方法の個々のステップごとのコードを含んでもよく、実際に含むことがある。コードは、RAM(ランダムアクセスメモリ)、ROM(読取り専用メモリ)、または他のタイプの記憶デバイスなどのコンピュータ可読媒体、たとえば非一時的コンピュータ可読媒体上に記憶される、機械実行可能命令、たとえば、コンピュータ実行可能命令の形態であってよい。コンピュータプログラム製品を対象とすることに加えて、いくつかの実施形態は、上述の1つまたは複数の方法の様々な機能、ステップ、行為、および/または動作のうちの1つまたは複数を実装するように構成されたプロセッサを対象とする。したがって、いくつかの実施形態は、本明細書で説明する方法のステップの一部またはすべてを実施するように構成されたプロセッサ、たとえばCPUを対象とする。プロセッサは、たとえば、本出願で説明する通信デバイスまたは他のデバイス中で使用するためのものであってよい。
【０１２０】
様々な実施形態は、ピアツーピアシグナリングプロトコルを使用する通信システムに好適である。いくつかの実施形態は、直交周波数分割多重化(OFDM)ベースのワイヤレスピアツーピアシグナリングプロトコル、たとえばWiFiシグナリングプロトコルまたは別のOFDMベースのプロトコルを使用する。
【０１２１】
OFDMシステムに関して説明したが、様々な実施形態の方法および装置のうちの少なくともいくつかは、多くの非OFDMおよび/または非セルラーシステムを含む広範囲の通信システムに適用可能である。
【０１２２】
上記の説明に鑑みて、上述の様々な実施形態の方法および装置に関する多数の追加の変形形態が、当業者には明らかであろう。そのような変形形態は、範囲内に入ると考えるべきである。本方法および本装置は、符号分割多元接続(CDMA)、OFDM、および/または、通信デバイス間のワイヤレス通信リンクを与えるために使用され得る様々な他のタイプの通信技法とともに使用されてよく、様々な実施形態において実際に使用される。いくつかの実施形態では、1つまたは複数の通信デバイスは、OFDMおよび/またはCDMAを使用してモバイルノードとの通信リンクを確立し、ならびに/あるいはワイヤードまたはワイヤレス通信リンクを介してインターネットまたは別のネットワークへの接続性を提供し得るアクセスポイントとして実装される。様々な実施形態では、モバイルノードは、本方法を実施するための、受信機/送信機回路ならびに論理および/またはルーチンを含む、ノートブックコンピュータ、携帯情報端末(PDA)、または他の携帯デバイスとして実装される。
【符号の説明】
【０１２３】
100  通信システム、システム
104  WiFiカバレージエリア
102、702  WiFi基地局、Wi-Fiデバイス
106、704  WiFiワイヤレス端末1、Wi-Fiデバイス
107、706  WiFiワイヤレス端末2、Wi-Fiデバイス
108、708  WiFiワイヤレス端末(N-1)、Wi-Fiデバイス
109、710  WiFiワイヤレス端末N、Wi-Fiデバイス
110  ピアツーピア通信ネットワーク
112  ピアツーピアワイヤレス端末1、ピアツーピアワイヤレス端末、ピアツーピアワイヤレス通信デバイス
114  ピアツーピアワイヤレス端末N、ピアツーピアワイヤレス端末、ピアツーピアワイヤレス通信デバイス
300、1500、1700  ワイヤレス通信デバイス、通信デバイス、デバイス
302、1502、1702  プロセッサ
304、1504、1704  メモリ
306、1506、1706  入力モジュール
308、1508、1708  出力モジュール
309、1509、1709  バス
311、1511、1711  ルーチン
313、1513、1713  データ/情報
400、1600、1800  モジュールのアセンブリ、アセンブリ
401、1601  部分A
403、1603  部分B
404、406、408、410、412、414、416、418、420、422、426、428、430、432、434、436、438、439、440、441、442、444、446、448、450、452、454、1604、1606、1608、1610、1612、1614、1616、1617、1618、1619、1620、1621、1622、1628、1629、1630、1631、1632、1634、1638、1640、1642、1644、1646、1648、1804、1806、1808、1810、1812、1814、1816、1818、1820、1822、1823、1824、1826  モジュール
502  デバイス1
504  デバイス2
506  デバイス3
508  復号範囲R1
510  復号範囲R2
512  復号範囲R3
514、516、518  円、復号エリア
602  小さい陰影のないエリア
712  ピアツーピアワイヤレス端末A、ピアツーピアWT  A、P-P  WT  A
714  ピアツーピアワイヤレス端末B、ピアツーピアWT  B、デバイス
716  ピアツーピアワイヤレス端末C、ピアツーピアWT  C、デバイス
718  ピアツーピアワイヤレス端末D、ピアツーピアWT  D、デバイス
720、820、822、824、1122  S-CTS信号、信号
722、724、920、922、924、1004、1006、1008、1010、1120、1124、1204、1206、1208、1210  S-CTS信号
【図１】
2015505224.tif 000003
【図２Ａ】
2015505224.tif 000004
【図２Ｂ】
2015505224.tif 000005
【図３】
2015505224.tif 000006
【図４Ａ】
2015505224.tif 000007
【図４Ｂ】
2015505224.tif 000008
【図５】
2015505224.tif 000009
【図６】
2015505224.tif 000010
【図７】
2015505224.tif 000011
【図８】
2015505224.tif 000012
【図９】
2015505224.tif 000013
【図１０】
2015505224.tif 000014
【図１１】
2015505224.tif 000015
【図１２】
2015505224.tif 000016
【図１３Ａ】
2015505224.tif 000017
【図１３Ｂ】
2015505224.tif 000018
【図１４】
2015505224.tif 000019
【図１５】
2015505224.tif 000020
【図１６Ａ】
2015505224.tif 000021
【図１６Ｂ】
2015505224.tif 000022
【図１７】
2015505224.tif 000023
【図１８】
2015505224.tif 000024
【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
ワイヤレス通信デバイス(112)を動作させる方法であって、
他のデバイス(102、106、107、108、109)による送信を抑制するために使用される信号の送信の有効性を推定する、信号抑制有用性メトリック(SSUM)を生成するステップと、
前記生成されたSSUMの値に基づいて、送信抑制信号を送信するべきか否かの決定を行うステップと
を含む方法。
【請求項２】
前記送信抑制信号が、S-CTS信号であり、
前記ワイヤレス通信デバイス(112)が、前記S-CTS信号の送信によって抑制されるべきであるWiFiに準拠していない通信プロトコルを使用するピアツーピア通信デバイスである、請求項1に記載の方法。
【請求項３】
前記SSUMを生成するステップが、
ある時間期間の間に他のデバイス(114)からの送信抑制信号について監視するステップと、
前記時間期間中に受信された送信抑制信号の電力を測定するステップと
を含む、請求項1に記載の方法。
【請求項４】
前記SSUMを生成するステップが、
前記時間期間中に受信された送信抑制信号の数が多いほど、より低いSSUMを生成するステップ
をさらに含む、請求項3に記載の方法。
【請求項５】
前記SSUMを生成するステップが、
少なくとも1つの受信された送信抑制信号の前記測定電力に基づいて、SSUMを生成するステップ
をさらに含む、請求項3に記載の方法。
【請求項６】
前記SSUMの前記生成が、受信された送信抑制信号の数と、少なくとも最強の受信された送信抑制信号の前記測定送信電力の両方に基づく、請求項3に記載の方法。
【請求項７】
前記SSUMが、低レベルの有益性を示す第1のしきい値を下回るとき、送信抑制信号を送信しないことを決定するステップ
をさらに含む、請求項6に記載の方法。
【請求項８】
前記SSUMが、前記第1のしきい値に等しいか、または前記第1のしきい値を超えるとき、前記送信抑制信号を送信することを決定するステップ
をさらに含む、請求項7に記載の方法。
【請求項９】
前記SSUMに基づいて、バックオフタイマーを選択するステップであって、前記バックオフタイマーは、送信機会時間間隔中に、いつ前記送信抑制信号を送信するべきかを判断する際に使用され、前記選択されたバックオフタイマーは、より高いSSUMに対してよりも、低い有益性を示す小さいSSUMに対してより大きいステップと、
前記選択されたバックオフタイマーが現在の送信機会時間間隔内に満了しない場合、送信抑制信号をキャンセルするステップと
をさらに含む、請求項8に記載の方法。
【請求項１０】
他のデバイスによる送信を抑制するために使用される信号の送信の有効性を推定する、信号抑制有用性メトリック(SSUM)を生成するための手段(406)と、
前記生成されたSSUMの値に基づいて、送信抑制信号を送信するべきか否かの決定を行うための手段(426)と
を備えるワイヤレス通信デバイス(300)。
【請求項１１】
前記送信抑制信号が、S-CTS信号であり、
前記ワイヤレス通信デバイス(300)が、前記S-CTS信号の送信によって抑制されるべきであるWiFiに準拠していない通信プロトコルを使用するピアツーピア通信デバイスである、請求項10に記載のワイヤレス通信デバイス(300)。
【請求項１２】
前記SSUMを生成するための前記手段(406)が、
ある時間期間の間に他のデバイスからの送信抑制信号について監視するための手段(408)と、
前記時間期間中に受信された送信抑制信号の電力を測定するための手段(410)と
を含む、請求項10に記載のワイヤレス通信デバイス(300)。
【請求項１３】
前記SSUMを生成するための前記手段(406)が、
前記時間期間中に受信された送信抑制信号の数が多いほど、より低いSSUMを生成するための手段(412)
をさらに含む、請求項12に記載のワイヤレス通信デバイス(300)。
【請求項１４】
前記SSUMを生成するための前記手段(406)が、
少なくとも1つの受信された送信抑制信号の前記測定電力に基づいて、SSUMを生成するための手段(414)
をさらに含む、請求項12に記載のワイヤレス通信デバイス(300)。
【請求項１５】
ワイヤレス通信デバイス(300)において使用するためのコンピュータプログラムであって、
非一時的コンピュータ可読記録媒体(304)を備え、前記非一時的コンピュータ可読記録媒体(304)は、
他のデバイスによる送信を抑制するために使用される信号の送信の有効性を推定する、信号抑制有用性メトリック(SSUM)を生成することを、少なくとも1つのコンピュータに行わせるためのコード(406)と、
前記生成されたSSUMの値に基づいて、送信抑制信号を送信するべきか否かの決定を行うことを、前記少なくとも1つのコンピュータに行わせるためのコード(426)と
を備える、コンピュータプログラム。
【請求項１６】
少なくとも1つのプロセッサ(302)であって、
他のデバイスによる送信を抑制するために使用される信号の送信の有効性を推定する、信号抑制有用性メトリック(SSUM)を生成すること、および
前記生成されたSSUMの値に基づいて、送信抑制信号を送信するべきか否かの決定を行うこと
を行うように構成された、少なくとも1つのプロセッサ(302)と、
前記少なくとも1つのプロセッサ(302)に結合されたメモリ(304)と
を備える、ワイヤレス通信デバイス(300)。
【請求項１７】
前記送信抑制信号が、S-CTS信号であり、
前記ワイヤレス通信デバイス(300)が、ピアツーピア通信デバイスであり、
前記少なくとも1つのプロセッサ(302)が、前記S-CTS信号の送信によって抑制されるべきであるWiFiに準拠していない通信プロトコルを使用するようにさらに構成される、請求項16に記載のワイヤレス通信デバイス(300)。
【請求項１８】
前記少なくとも1つのプロセッサ(302)が、前記SSUMを生成するように構成されることの一部として、
ある時間期間の間に他のデバイスからの送信抑制信号について監視すること、および
前記時間期間中に受信された送信抑制信号の電力を測定すること
を行うように構成される、請求項16に記載のワイヤレス通信デバイス(300)。
【請求項１９】
前記少なくとも1つのプロセッサ(302)が、前記SSUMを生成するように構成されることの一部として、
前記時間期間中に受信された送信抑制信号の数が多いほど、より低いSSUMを生成すること
を行うように構成される、請求項18に記載のワイヤレス通信デバイス(300)。
【請求項２０】
前記少なくとも1つのプロセッサ(302)が、
少なくとも1つの受信された送信抑制信号の前記測定電力に基づいて、SSUMを生成すること
を行うように構成される、請求項18に記載のワイヤレス通信デバイス(300)。
【国際調査報告】
2015505224.tif 000025
2015505224.tif 000026